(57)【要約】      （修正有）【課題】ブック型デジタルコンテンツの文字列検索でヒットした文字列の閲覧状況を把握できるデジタルコンテンツ閲覧管理システムと、閲覧状況の把握を容易とするデジタルコンテンツ閲覧装置を提供する。【解決手段】デジタルコンテンツ閲覧管理システム１は、端末装置４で表示されたブック型デジタルコンテンツ内の文字情報に対し文字列検索を行った際に、検索された文字列が表示されているコンテンツ内の領域がユーザーによって閲覧されたか否かを、コンテンツの配信者サイドがサーバー２側にて確認可能とされており、検索された文字列が表示されているコンテンツ内の領域がユーザーによって閲覧されたか否かが、検索された文字列に対する強調表示（マーキング画像表示）を行い、その影響により所定のコンテンツ閲覧操作があった場合を、検索結果が閲覧されたと判定して、サーバー２にてその検索結果閲覧の結果を記録するとともに出力可能となっている。【選択図】図１
2010072763.tif 000002
【特許請求の範囲】
【請求項１】
複数のページをページ単位で切り替え表示可能なブック型デジタルコンテンツを閲覧するためのデジタルコンテンツ閲覧装置であって、
文字列をページ表示するための画像ファイルと、前記文字列のテキストデータを当該文字列の表示位置データとともに記憶するテキストファイルとを有した、前記ブック型デジタルコンテンツを閲覧するためのコンテンツデータを記憶するコンテンツデータ記憶部と、
前記画像ファイルに基づいて、表示部の画面上に前記ブック型デジタルコンテンツの各ページを表示するページ表示手段と、
前記各ページに含まれる文字列の検索入力を行うための検索入力手段と、
入力された検索文字列を、前記テキストファイル内において検索する検索実行手段と、
前記テキストファイル内にて検索にヒットした検索文字列がある場合に、前記表示位置データに基づいて、当該検索文字列の表示位置を特定する検索文字列表示位置特定手段と、
表示される前記ページ上において、特定された前記検索文字列の表示位置を少なくとも含んだ検索文字列周辺領域に、マーキング画像を表示するマーキング表示手段と、
を備えることを特徴とするデジタルコンテンツ閲覧装置。
【請求項２】
前記ブック型デジタルコンテンツのページを切り替えるページ切替手段を有し、
前記検索文字列表示位置特定手段は、前記検索実行手段による検索にヒットした前記検索文字列がある場合には、前記ページ切替手段により切り替えられた先のページ上においても、検索にヒットした当該検索文字列の表示位置を特定し、
前記マーキング表示手段は、特定された当該検索文字列の表示位置を少なくとも含んだ前記検索文字列周辺領域に、前記マーキング画像を表示するものである請求項１記載のデジタルコンテンツ閲覧装置。
【請求項３】
前記ブック型デジタルコンテンツは、前記表示部の画面上に当該ブック型デジタルコンテンツを閲覧するための閲覧ウィンドウが示されるとともに、当該閲覧ウィンドウ内には、当該ブック型デジタルコンテンツの各ページをページ単位で表示する表示するためのページ表示領域と、当該ページ表示領域とは異なる領域にて当該ページ表示領域内の表示を変更するための複数の操作画像が表示されるコンテンツ操作領域と、前記検索入力手段による前記文字列の検索入力を行うための検索文字列入力領域と、が設けられるように構成されている請求項１又は請求項２に記載のデジタルコンテンツ閲覧装置。
【請求項４】
前記検索文字列入力領域は、検索入力を行わない際には縮小表示されており、当該検索文字列入力領域の位置選択操作に伴い、前記閲覧ウィンドウ内にて前記ページ表示領域上に重なる形で拡大表示されるものである請求項１ないし請求項３のいずれか１項に記載のデジタルコンテンツ閲覧装置。
【請求項５】
前記ブック型デジタルコンテンツは、前記閲覧ウィンドウ内に、前記検索実行手段による検索結果を一覧表示の形にて表示する検索結果表示領域を有するとともに、当該検索結果表示領域は、前記検索文字列入力領域と共に拡大縮小する一体の領域として設けられている請求項４記載のデジタルコンテンツ閲覧装置。
【請求項６】
前記検索結果表示領域は、前記検索実行手段による検索にヒットした文字列を一覧表示の形で表示可能とされるとともに、一覧表示されたそれら個々の文字列の表示領域が、所定操作部からの当該表示領域への位置選択操作に基づいて、当該表示領域に対応する文字列の表示ページに表示を切り替えるためのリンク領域として設定されている請求項５記載のデジタルコンテンツ閲覧装置。
【請求項７】
前記コンテンツデータは、ページ毎の前記画像ファイルに対応付けた付随情報として、前記テキストファイルを第一階層に有する一方で、第二階層には、当該テキストファイルの前記テキストデータが示す前記文字列に含まれる用語を解説するための解説用データを有しており、
前記マーキング表示手段によりマーキング画像が表示された前記検索文字列周辺領域内において表示された前記文字列のうち、所定操作部による位置指示操作により前記用語が位置指示あるいは位置決定されることを検知する用語指示操作検知手段と、
前記用語が位置指示あるいは位置決定されたことを検知した場合に、前記解説用データに基づいて、当該用語の解説表示を実施する解説表示実行手段と、
を備える請求項１ないし請求項６のいずれか１項に記載のデジタルコンテンツ閲覧装置。
【請求項８】
請求項１ないし請求項７のいずれか１項に記載のデジタルコンテンツ閲覧装置を端末装置として１以上有するとともに、当該端末装置から通信手段を介して前記ブック型デジタルコンテンツの閲覧に係る情報を閲覧ログとして取得するサーバーを有して構成されるとともに、
前記端末装置は、前記検索実行手段により検索された前記検索文字列に対応する前記マーキング画像が前記ユーザーに閲覧されるに伴い当該マーキング画像の閲覧実績を特定可能な検索結果閲覧実績情報を、前記閲覧ログとして前記サーバーに送信するログ送信手段を備え、
前記サーバーは、前記閲覧ログとして前記検索結果閲覧実績情報を受信するログ受信手段と、受信した前記検索結果閲覧実績情報を記録・蓄積するログ記録手段と、記録・蓄積された前記検索結果閲覧実績情報に基づいて、前記検索実行手段により検索された同じ文字列からなる検索文字列毎の閲覧状況を、各検索文字列と対応する閲覧状況との対応関係が視覚的に明らかとなる形で表示出力するログ出力手段と、を備えることを特徴とするデジタルコンテンツ閲覧管理システム。
【請求項９】
前記端末装置における前記ログ送信手段は、前記検索結果閲覧実績情報として、前記検索実行手段により検索された前記検索文字列と、当該検索文字列に対応するマーキング画像表示中における前記ユーザーの閲覧ページを特定可能な閲覧ページ情報とを前記サーバーに送信するものであり、
前記サーバーにおける前記ログ出力手段は、前記ログ記録手段にて前記検索結果閲覧実績情報として記録・蓄積された前記検索文字列及び前記閲覧位置情報に基づいて、前記端末装置の前記検索実行手段により検索された同じ文字列からなる前記検索文字列毎に、対応する前記マーキング画像表示中において当該マーキング画像が表示されたページ毎の閲覧回数を算出するとともに、表示出力される前記閲覧状況として、各検索文字列を有したページと、当該ページの前記閲覧回数とを、それら双方の対応関係が明らかとなる形で表示するものである請求項８記載のデジタルコンテンツ閲覧管理システム。
【請求項１０】
前記サーバーは、前記端末装置が記憶する前記コンテンツデータのうち少なくとも前記画像ファイルを記憶したコンテンツデータ記憶部を備え、前記ログ出力手段は、前記画像ファイルと、前記ログ記録手段にて前記検索結果閲覧実績情報として記録・蓄積された前記検索文字列及び前記閲覧ページ情報とに基づいて、前記検索文字列毎に、前記閲覧ページのページ画像を表示するとともに、当該閲覧ページの前記閲覧回数を、当該ページ画像との対応関係が視覚的に明らかとなる形で表示するものである請求項９記載のデジタルコンテンツ閲覧管理システム。
【請求項１１】
前記端末装置は、画面表示されている前記ブック型デジタルコンテンツのページ上になされる予め定められたコンテンツ閲覧操作を行うためのコンテンツ閲覧操作手段と、前記マーキング画像表示中において当該コンテンツ閲覧操作がなされたページを前記閲覧ページとして特定する閲覧ページ特定手段とを備え、前記ログ送信手段は、閲覧ページの特定に伴い当該閲覧ページに対応する前記閲覧ページ情報を、前記検索結果閲覧実績情報として前記サーバーに送信するものである請求項９又は請求項１０に記載のデジタルコンテンツ閲覧管理システム。
【請求項１２】
前記端末装置は、前記マーキング画像表示中において前記ブック型デジタルコンテンツのページ上に位置選択の形でなされる前記コンテンツ閲覧操作により位置選択された前記閲覧ページ上の操作位置を前記ユーザーの閲覧位置として特定する閲覧位置特定手段を備え、前記ログ送信手段は、特定された前記閲覧ページ上における閲覧位置を示す前記閲覧位置情報を、当該閲覧ページに対応する前記閲覧ページ情報とともに、前記検索結果閲覧実績情報として前記サーバーに送信するものであり、
前記サーバーは、前記端末装置が記憶する前記コンテンツデータのうち少なくとも前記画像ファイルを記憶したコンテンツデータ記憶部を備え、前記ログ出力手段は、前記画像ファイルと、前記ログ記録手段にて前記検索結果閲覧実績情報として記録・蓄積された前記検索文字列、前記閲覧位置情報、及び前記閲覧ページ情報とに基づいて、前記検索文字列毎に、前記閲覧ページのページ画像を表示するとともに、当該閲覧ページ上の前記閲覧位置を示す位置指示画像を、当該ページ画像上にて重ね表示するものである請求項１１記載のデジタルコンテンツ閲覧管理システム。
【請求項１３】
前記サーバーにおける前記ログ出力手段は、前記検索文字列毎に表示される前記閲覧ページの前記ページ画像を縮小した形で一覧表示し、当該サーバーにおける所定操作部からの予め定められた位置選択操作により当該縮小画像への選択操作がなされた場合には、当該縮小画像が拡大表示されるに伴い拡大されたページ画像上に前記位置指示画像を表示するものである請求項１２記載のデジタルコンテンツ閲覧管理システム。
【発明の詳細な説明】
【技術分野】
【０００１】
本発明は、ブック型デジタルコンテンツをページ単位で閲覧可能とするデジタルコンテンツ閲覧装置、及びデジタルコンテンツ閲覧管理システムに関する。
【背景技術】
【０００２】
【特許文献１】特開２００２−１０９３９１号公報
【０００３】
近年、パソコンやインターネットの普及に伴い、ユーザー個人が自身の端末装置上にて、各種提供されるデジタルコンテンツを見る機会が増えつつある。こうしたデジタルコンテンツは、一般的にはコンテンツを構成する画像や文字のデータ及びそれらの表示条件や配置位置を定めるデータを含む所定の言語で記述されたコンテンツデータを、端末装置に搭載されたブラウザ（ビューワ）によって画面表示される。
【０００４】
特許文献１にも、同様のデジタルコンテンツとしてデジタルカタログに係る技術が開示されており、当該技術は、カタログ内の商品映像を三次元的に閲覧可能とするユーザーによる操作（拡大や表示切替等）を分析して、ユーザーの好みの程度を把握することを可能とするものである。
【発明の開示】
【発明が解決しようとする課題】
【０００５】
ところで、上記のようなデジタルコンテンツの中には、コンテンツ内に表示される文字列の検索が可能に構成されたものもある。この場合、ユーザーは必要な情報の表示位置をキーワード検索の形で特定することができるので、必要な情報に容易にたどり着くことが可能となる。
【０００６】
しかしながら、キーワード検索の場合、ユーザーが必ずしも目的とする情報に到達できるとは限らない。例えば、キーワード検索にてヒット数が多すぎた場合には、自身の必要とする情報がそれらのうちのどこにあるのかが分かり難いことがある。また、入力したキーワードが偶然にもコンテンツ内に存在しなかったためにヒットせず、同じ意味の別のキーワードであればヒットしていた、というような場合もある。こうした場合、ユーザーは、そのコンテンツによる情報収集をあきらめることとなるが、こうした状況はコンテンツ提供者にとっても望ましい状況ではない。
【０００７】
コンテンツ提供者は当然、ユーザーにより閲覧されて、情報を提供することに効果・利益を見出すものであるから、こうした場合には、コンテンツそのものを見直して、改善する必要がある。例えば、コンテンツ内にユーザーの使い慣れない言葉が多くてユーザーによる検索がヒットしにくい場合は、使用する言葉を再検討する必要があるし、コンテンツ提供者がコンテンツ内で最も閲覧してほしい情報部分がキーワード検索でヒットしにくく、ユーザーがそれとは異なる部分ばかりが閲覧されるような場合は、その最も閲覧してほしい情報部分の記載位置や記載内容をやはり再検討しなければならない。そして、より多くのユーザーに利用され、より使い勝手のよいコンテンツに改めていかなければならない。
【０００８】
そのためには、キーワード検索後におけるユーザーの閲覧挙動を情報収集することが重要となる。さらに言えば、コンテンツ閲覧中のユーザーは、例えば無意味なマウスクリックやカーソル移動等を行いがちであるから、これらの無意味な挙動を排除しながら、より確実な閲覧挙動を情報収集することも重要となる。また、これらの無意味な挙動の中にも一定の法則性を見出せる場合もあり、これを分析することでキーワード検索後のユーザーの挙動を推定することで、コンテンツの改良に有意義な情報を収集できる場合もある。要するに、キーワード検索後において、ユーザーが検索結果を閲覧したか否か、さらには、ユーザーがどのように検索したキーワードを閲覧し、その閲覧に係る傾向等の情報を、より正確に把握することが重要となる。
【０００９】
さらに、キーワード検索後において、ユーザーの閲覧に係る挙動等の情報を、無関係な情報を排除しながら取得するためには、コンテンツの内容自体も、そうした情報を正確に収集しやすい形態となっていなければならない。
【００１０】
上記特許文献１においては、ユーザーによるキーワード検索結果をコンテンツ提供者サイドで把握可能とする技術に関し何らの記載も示唆もなく、他の従来の技術においても、上記した課題はこれまで存在していなかった。
【００１１】
本発明の課題は、ブック型デジタルコンテンツの閲覧者が文字列検索によりヒットした文字列の閲覧した際に、その閲覧状況を把握することができるデジタルコンテンツ閲覧管理システムと、当該閲覧状況の把握を容易とするデジタルコンテンツ閲覧装置を提供することにある。
【課題を解決するための手段及び発明の効果】
【００１２】
上記課題を解決するために、本発明のデジタルコンテンツ閲覧装置は、
複数のページをページ単位で切り替え表示可能なブック型デジタルコンテンツを閲覧するためのデジタルコンテンツ閲覧装置であって、
文字列をページ表示するための画像ファイルと、文字列のテキストデータを当該文字列の表示位置データとともに記憶するテキストファイルとを有した、ブック型デジタルコンテンツのコンテンツデータを記憶するコンテンツデータ記憶部と、
画像ファイルに基づいて、表示部の画面上にブック型デジタルコンテンツの各ページを表示するページ表示手段と、
各ページに含まれる文字列の検索入力を行うための検索入力手段と、
入力された検索文字列を、テキストファイル内において検索する検索実行手段と、
テキストファイル内にて検索にヒットした検索文字列がある場合に、表示位置データに基づいて、当該検索文字列の表示位置を特定する検索文字列表示位置特定手段と、
表示されるページ上において、特定された検索文字列の表示位置を少なくとも含んだ検索文字列周辺領域に、マーキング画像を表示するマーキング表示手段と、
を備えることを特徴とする。
【００１３】
上記本発明の構成によると、検索された文字列にはマーキング画像が表示されるので、ユーザーに検索された文字列の位置を確実に把握させることができ、結果として、検索後のユーザーの挙動をマーキング画像（検索結果表示）に関連するものとし易く、検索結果と無関係な挙動が行われないようにする効果を得ることが可能となる。これにより、検索後にマーキング画像が閲覧されたかを確認する目的で当該挙動を収集した際に、検索結果と無関係な情報はある程度排除され、より有効な情報を収集することが可能となる。
【００１４】
また、従来のブック型デジタルコンテンツにおいては、各ページの表示処理に対する更なる効率化、及び表示内容に対する検索処理の更なる効率化が課題とされている。上記本発明の構成は、従来のように、コンテンツを構成する画像や文字のデータ及びそれらの表示条件や配置位置を定めるデータを含むようなコンテンツデータの構成とは異なり、ブック型デジタルコンテンツにおいて、各ページの表示に使用される文字データを含まない画像ファイルと、ページ表示用の画像ファイルとは別の検索専用の文字データ（テキストデータ）とを有して構成される。
【００１５】
この構成によると、各ページの表示内容を表示するためのデータとして画像ファイルのみが使用されるので、各ページの表示には、ページに対応する画像の選択のみで可能となり、ページ内に含まれる各種の文字データや画像データに対しそれぞれの配置位置や大きさ等の様々な情報の記述を省略することができ、全体としてシンプルなデータ構造となる。コンテンツ内のページの表示内容を変更する際にも、変更するページの画像ファイルを入れ替えるだけでよいし、変更後の画像ファイルの検索専用の文字データも、その画像をＯＣＲ（Optical Character Reader）などの周知技術により読取ってテキスト化し、読み取った座標データ（位置情報）と合わせて記憶すればよい。あるいは、所定の文章ファイル（例えばPDF（Portable Document Format）のドキュメントファイルや、WORD／EXCEL／POWERPOINT等のMicrosoft Office（Microsoft社製品）のドキュメントファイル等）を直接、各ページの画像情報（プリントイメージ）と、各ページにおいて検索専用に使用される文字データと、その位置情報とを生成する周知技術を用いてもよい。また、表示処理において、所定のページ表示領域内にページを切り替えるたびに当該ページに必要なテキストや画像を各条件に従い配置するといった処理が不要となるため、処理内容を単純化できる。各ページの表示内容が、１枚の画像ファイルによって表示される構成であれば、画面上の所定のページ表示領域に、ページの切り替えに伴い切替先のページに対応する画像ファイルを表示するだけでよい。
【００１６】
一方で、上記本発明においては、既に述べたように、画像ファイルのみでページ内容が表示される構成でありながら表示されたページ内の文字列の検索が可能となっており、これを実現するために、上記した文字列検索用の文字データがページ表示用の画像ファイルとは別に用意されている。さらに、文字列検索後にマーキング画像によって検索結果表示が可能となっており、文字データのページ上における表示位置を特定可能な表示位置データが、上記したページ表示用の画像ファイルとは別に用意されている。これにより、上記のような表示処理を実現しつつ、検索処理も実施可能となるし、表示処理と検索処理とがそれぞれ別データにより実施されるので、各々のデータを各々の処理に特化した形とすることができるので、更なる処理の効率化を図ることもできる。
【００１７】
また、本発明においては、ブック型デジタルコンテンツのページを切り替えるページ切替手段を設けて構成することができ、この場合の検索文字列表示位置特定手段は、検索実行手段による検索にヒットした検索文字列がある場合には、ページ切替手段により切り替えられた先のページ上においても、検索にヒットした当該検索文字列の表示位置を特定して、マーキング表示手段により、特定された当該検索文字列の表示位置を少なくとも含んだ検索文字列周辺領域に、マーキング画像を表示するように構成できる。これにより、ページ切替操作がなされた後も文字列検索の結果表示（マーキング画像の表示）が継続するので、ページが切り替えられた後のユーザーの挙動も、検索結果表示（マーキング画像の表示）に関連したものになり易く、結果として、後にマーキング画像が閲覧されたかを確認する目的でその挙動を収集した際には、検索に無関係な情報はある程度排除され、より有効な情報を収集することが可能となる。
【００１８】
なお、本発明におけるブック型デジタルコンテンツは、表示部の画面上に当該ブック型デジタルコンテンツを閲覧するための閲覧ウィンドウが示されるとともに、当該閲覧ウィンドウ内には、当該ブック型デジタルコンテンツの各ページをページ単位で表示する表示するためのページ表示領域と、当該ページ表示領域とは異なる領域にて当該ページ表示領域内の表示を変更するための複数の操作画像が表示されるコンテンツ操作領域と、検索入力手段による文字列の検索入力を行うための検索文字列入力領域と、を設けて構成することができる。それぞれの目的に応じた領域が設定されるので、閲覧、閲覧操作、検索操作等の使い勝手がよい。
【００１９】
さらに、この場合の検索文字列入力領域は、検索入力を行わない際には縮小表示されており、当該検索文字列入力領域の位置選択操作に伴い、閲覧ウィンドウ内にてページ表示領域上に重なる形で拡大表示されるようにできる。閲覧ウィンドウの範囲は有限であるから、常に使用されるわけではない検索文字列入力領域を未使用時には最小化しておけば、最も注視されるページ表示領域をより広く確保することができる。また、検索文字列入力領域は、拡大表示された際に、最もユーザーに注視されるページ表示領域に重なって表示されるので、拡大に伴いユーザーにより注視されやすくなる。また、当該検索文字列入力領域を、少なくとも重なった位置にあるマーキング画像を視覚的に認識できるような表示状態とすることにより、マーキング画像の視認漏れを防ぐこともできる。
【００２０】
また、本発明のブック型デジタルコンテンツは、閲覧ウィンドウ内に、検索実行手段による検索結果を一覧表示の形にて表示する検索結果表示領域を有するとともに、当該検索結果表示領域を、検索文字列入力領域と共に拡大縮小する一体の領域として設けることができる。この構成によると、検索入力がなされる領域に隣接して検索結果を表示する領域が設けられるので、ユーザーは検索結果を確実に把握することができる。また、当該検索結果表示領域も、少なくとも重なった位置にあるマーキング画像を視覚的に認識できるような表示状態とすることにより、マーキング画像の視認漏れを防ぐこともできる。
【００２１】
検索結果表示領域は、検索実行手段による検索にヒットした文字列を一覧表示の形で表示可能とされるとともに、一覧表示されたそれら個々の文字列の表示領域が、所定操作部からの当該表示領域への位置選択操作に基づいて、当該表示領域に対応する文字列の表示ページに表示を切り替えるためのリンク領域として設定することができる。これにより、ユーザーは、検索されたキーワードの表示ページに容易にジャンプすることができる。一方で、検索後のユーザーの挙動を推定し易くなり、検索されたキーワードに対するユーザーの閲覧傾向等を正確に取得することが可能となりやすい。
【００２２】
また、本発明において、マーキング画像が表示される検索文字列周辺領域として、検索にヒットした文字列と同一行の表示領域を定めることができる。これにより、検索文字列周辺領域の特定処理が簡易化されるし、ユーザーもマーキング画像の位置を把握し易い。さらに言えば、マーキング画像が例えば点滅する等、マーキングがより強調された形で形で表示されるようにすれば、その位置をより把握し易くなる。
【００２３】
また、本発明におけるコンテンツデータは、ページ毎の画像ファイルに対応付けた付随情報として、テキストファイルを第一階層に有する一方で、第二階層には、当該テキストファイルのテキストデータが示す文字列に含まれる用語を解説するための解説用データを有して構成できる。この場合、マーキング表示手段によりマーキング画像が表示された検索文字列周辺領域内において表示された文字列のうち、所定操作部による位置指示操作により用語が位置指示あるいは位置決定されることを検知する用語指示操作検知手段と、用語が位置指示あるいは位置決定されたことを検知した場合に、解説用データに基づいて、当該用語の解説表示を実施する解説表示実行手段と、を備えて構成できる。この構成によると、予め決められた用語に対し、例えばマウスオーバー等による位置指示やマウスクリック等による位置決定操作がなされると、その用語の解説表示がなされるので、内容をより理解し易いコンテンツとなる。また、その用語解説を、マーキングされた領域においてのみ実施するようにしているため、無意味な解説表示の頻発を避けることができる。なお、解説用データとしては、文字データ、静止画データ、動画データ、音声データのいずれであってもよい。
【００２４】
ところで、本発明におけるデジタルコンテンツ閲覧管理システムは、上記したようなデジタルコンテンツ閲覧装置を端末装置として１以上有するとともに、当該端末装置から通信手段を介してブック型デジタルコンテンツの閲覧に係る情報を閲覧ログとして取得するサーバーを有して構成されるものである。そして、端末装置は、検索実行手段により検索された検索文字列に対応するマーキング画像がユーザーに閲覧されるに伴い当該マーキング画像の閲覧実績を特定可能な検索結果閲覧実績情報を、閲覧ログとしてサーバーに送信するログ送信手段を備え、サーバーは、閲覧ログとしてその検索結果閲覧実績情報を受信するログ受信手段と、受信した検索結果閲覧実績情報を記録・蓄積するログ記録手段と、記録・蓄積された検索結果閲覧実績情報に基づいて、検索実行手段により検索された同じ文字列からなる検索文字列毎の閲覧状況を表示出力するログ出力手段と、を備えることを特徴とする。
【００２５】
上記本発明の構成によれば、端末装置において検索が行われた後に、検索結果として表示されるマーキング画像がユーザーにより閲覧なされると、その旨を示すログがサーバーに送信され、サーバーにてそのログが記録・蓄積される。そして、サーバーでは、蓄積されたそれらのログに基づいて、これまでに検索されてきた同じ文字列からなる検索文字列毎の閲覧状況を表示可能としているので、例えば本発明のブック型デジタルコンテンツの配信者は、その表示出力を見て、各種検索文字列の検索後の閲覧状況を把握することができる。また、端末装置においては、検索後にマーキング画像が表示される構成であるから、検索後になされるユーザーの閲覧は、当該検索に関連するものである確率が高く、より確実性のある検索結果の閲覧実績を得ることができ、今後のコンテンツの修正に大いに参考になる。
【００２６】
また、本発明のデジタルコンテンツ閲覧管理システムにおいて、端末装置におけるログ送信手段は、検索結果閲覧実績情報として、検索実行手段により検索された検索文字列と、当該検索文字列に対応するマーキング画像表示中におけるユーザーの閲覧ページを特定可能な閲覧ページ情報とをサーバーに送信するものとすることができ、一方で、サーバーにおけるログ出力手段は、ログ記録手段にて検索結果閲覧実績情報として記録・蓄積された検索文字列及び閲覧位置情報に基づいて、端末装置の検索実行手段により検索された同じ文字列からなる検索文字列毎に、対応するマーキング画像表示中において当該マーキング画像が表示されたページ毎の閲覧回数を算出するとともに、表示出力される閲覧状況として、各検索文字列を有したページと、当該ページの閲覧回数とを、それら双方の対応関係が明らかとなる形で表示するものとできる。この構成によれば、ユーザーがマーキング画像を閲覧した際には、そのマーキング画像が表示されているページを特定するための情報（閲覧ページ情報：例えばページ番号）がサーバーに送信され、サーバーではその情報が記録・蓄積される。そして、これをサーバー側で出力する場合には、どの検索文字列において、どのページが、何回閲覧されたか、がそれぞれ対応付けて表示されるので、検索キーワードの種類に応じて、ユーザーがどのページをよく閲覧するか、その傾向を容易に把握することが可能となる。
【００２７】
また、サーバーは、端末装置が記憶するコンテンツデータのうち少なくとも画像ファイルを記憶したコンテンツデータ記憶部を備え、ログ出力手段は、画像ファイルと、ログ記録手段にて検索結果閲覧実績情報として記録・蓄積された検索文字列及び閲覧ページ情報と、に基づいて、検索文字列毎に、閲覧ページのページ画像を表示するとともに、当該閲覧ページの閲覧回数を、当該ページ画像との対応関係が視覚的に明らかとなる形で表示するように構成できる。この構成によれば、キーワードに応じて閲覧された閲覧ページの表示内容を把握しながら、その閲覧回数を知ることができ、キーワード検索された際に、どのような内容のページ表示がされると閲覧され易いか、その傾向を容易に把握することができる。
【００２８】
本発明のデジタルコンテンツ閲覧管理システムにおいて、端末装置は、画面表示されているブック型デジタルコンテンツのページ上になされる予め定められたコンテンツ閲覧操作を行うためのコンテンツ閲覧操作手段と、マーキング画像表示中において当該コンテンツ閲覧操作がなされたページを閲覧ページとして特定する閲覧ページ特定手段とを備え、ログ送信手段は、閲覧ページの特定に伴い当該閲覧ページに対応する閲覧ページ情報を、検索結果閲覧実績情報としてサーバーに送信するものとできる。ユーザーがマーキング画像を閲覧したとの判断は、目線特定技術等を用いることで実現可能ではあるが、こうした場合、コスト増となることを避けられないデメリットがある。ところが、上記構成とすることにより、ユーザーによるコンテンツ操作の有無を閲覧として判断する形となる。マーキング画像が表示されたページ上で、拡大操作や付箋画像の貼り付け等のコンテンツ操作が行われることは、明らかにそのページに関心がある証拠であり、これは明らかにユーザーによる閲覧行為であるといえるから、これをユーザーによる閲覧があったか否かの判断基準とすることで、より正確な情報を得ることができる。さらに、コンテンツ操作の有無の特定は容易であるから処理上の利点もあるし、特に構成を追加する必要も無いのでコスト面の利点もある。
【００２９】
端末装置は、マーキング画像表示中においてブック型デジタルコンテンツのページ上に位置選択の形でなされるコンテンツ閲覧操作により位置選択された閲覧ページ上の操作位置をユーザーの閲覧位置として特定する閲覧位置特定手段を備え、ログ送信手段は、特定された閲覧ページ上における閲覧位置を示す閲覧位置情報を、当該閲覧ページに対応する閲覧ページ情報とともに、検索結果閲覧実績情報としてサーバーに送信するものとすることができ、一方、サーバーは、端末装置が記憶するコンテンツデータのうち少なくとも画像ファイルを記憶したコンテンツデータ記憶部を備え、ログ出力手段は、画像ファイルと、ログ記録手段にて検索結果閲覧実績情報として記録・蓄積された検索文字列、閲覧位置情報、及び閲覧ページ情報とに基づいて、検索文字列毎に、閲覧ページのページ画像を表示するとともに、当該閲覧ページ上の閲覧位置を示す位置指示画像を、当該ページ画像上にて重ね表示するものとすることができる。この構成によれば、キーワードに応じて閲覧された閲覧ページの表示内容を把握しながら、その閲覧回数を知ることができ、キーワード検索された際に、どのような内容のページ表示がされると閲覧され易いか、その傾向を容易に把握することができる。同時に、そのページ表示の中から、ユーザーが特にどの部分を注目したかを、位置選択された位置から特定できるし、また、その特定は視覚的に可能であるから把握し易い。
【００３０】
サーバーにおけるログ出力手段は、検索文字列毎に表示される閲覧ページのページ画像を縮小した形で一覧表示し、当該サーバーにおける所定操作部からの予め定められた位置選択操作により当該縮小画像への選択操作がなされた場合には、当該縮小画像が拡大表示されるに伴い拡大されたページ画像上に位置指示画像を表示するものである。全体を一覧表示した上で、必要に応じて個別の閲覧状況を拡大により視認することができるので、使い勝手がよく、検索結果の閲覧状況を把握し易い。
【００３１】
また、端末装置におけるログ送信手段は、検索文字列を、検索実行手段による検索実行に伴いサーバーに送信し、閲覧位置情報を、コンテンツ閲覧操作に伴いサーバーに送信するものとできる。また、検索文字列及び閲覧位置情報を、デジタルコンテンツの閲覧終了に伴い送信するものとすることもできる。
【発明を実施するための最良の形態】
【００３２】
以下、本発明の一実施形態を、図面を参照して説明する。
【００３３】
図１は、本発明のデジタルコンテンツ閲覧管理システム１の全体構成を示すブロック図である。デジタルコンテンツ閲覧管理システム１は、サーバー（サーバー）２と、該サーバー２が接続するインターネット等の通信手段（通信ネットワーク）３と、該通信手段に接続可能な様々なユーザーのパーソナルコンピュータ等にて構成される１以上の端末装置４とを含んで構成されており、インターネットやイントラネット、パソコン通信網、公衆電話回線網、ＬＡＮ等からなる通信ネットワーク３（本実施形態ではインターネットである）を介し、端末装置４がサーバー（以下、サーバーと称する）２にアクセスすることによってコンテンツデータ２５ａをダウンロードし、当該コンテンツデータ２５ａに基づいて、カタログやパンフレット等といったブック型デジタルコンテンツを、自身の表示部４７にて表示するとともに、必要に応じて音声出力部４６（図２参照）からの音声出力等を行うものである。
【００３４】
上記のように構成された本実施形態は、端末装置４において表示されるブック型デジタルコンテンツが、複数のページをページ単位で切り替え表示可能とされるとともに、画面表示される各ページ内の文字情報に対し文字列検索を行うことが可能とされている。そして、当該文字列検索を行った際には、検索された文字列の表示領域がユーザーによって閲覧されたか否かを、当該コンテンツの配信者がサーバー２側にて確認可能とされている。さらにいえば、検索された文字列が表示されているコンテンツ内の領域がユーザーによって閲覧されたか否かという情報を、より確実性のある情報としてサーバー２側で得るための工夫として、端末装置４では、検索された文字列に対する強調表示（マーキング画像表示）を行っている。これにより、当該コンテンツを閲覧するユーザーの意識が、その検索結果の強調表示に向くよう誘導され、その後のユーザーによるコンテンツ閲覧操作がその検索結果表示（強調表示）の影響を確実に受けた操作となるようになっている。さらに、その影響を受けているであろうユーザーによる予め決められたコンテンツ閲覧操作が、その検索結果表示の継続中において、その検索結果が表示されている領域に対し、端末装置４の入力部（操作部）４８を用いる形で明確になされた場合には、そのユーザー操作がなされた検索結果の表示領域をユーザーにより閲覧された領域と判定し、これを検索結果閲覧の実績としてサーバー２に送信し、これを記録させる。つまり、ユーザーの閲覧意思が反映される具体的なユーザー操作があったことを受けて閲覧がなされたと判定するのであって、単純に、一定の時間を越えて検索結果の表示領域が表示状態にあっただけでは閲覧がなされたと判定しないようにしているのである。サーバー２では、記録された当該の情報を出力可能としており、当該コンテンツの管理者の側にてこれが閲覧可能となっている。
【００３５】
端末装置４について説明する。端末装置４は、図２に示すように、ＣＰＵ４１、ＲＯＭ４３、ＲＡＭ４２、ハードディスクドライブ（ＨＤＤ）で構成された記憶装置（コンテンツデータ記憶部）４５、ネットワーク接続のための変復調部（モデム、ルータ、ＬＡＮボード等）４９、Ｉ／Ｏポート４４等が互いにバスを介して接続する構成を有し、さらに、キーボード、マウス、その他のポインティングデバイス等からなる入力部４８、液晶ディスプレイ等の表示部（ページ表示手段）４７、スピーカ等の音声出力部４６、プリンタ５０等が、Ｉ／Ｏポート４４に接続する形で構成されている。
【００３６】
ＲＡＭ４２内には、ＣＰＵ４１が実行する種々のプログラム実行時に使用する種々のデータメモリ（キャッシュメモリを含む）のエリアが形成されている。例えば、端末装置４のオペレーティングシステムソフトウェア（ＯＳ：本実施形態ではWindows（米国Microsoft社の登録商標名；Windows98、 Windows2000等、種々のバージョンが存在する）を使用している）を実行するためのワークメモリである実行メモリ（ＯＳ実行メモリ）や、インターネット２のホームページを閲覧するための、公知のＷｅｂブラウザソフト（例えば、Internet Explorer（Microsoft社の登録商標名）あるいはNetscape Navigator（米国NetscapeCommunications社の登録商標名）：以下、ブラウザと称する）４５ｂ等の実行メモリが形成されている。
【００３７】
記憶装置４５には、ＣＰＵ４１が実行する種々のプログラムとともに、それらプログラムの実行に必要な種々のデータを記憶している。その一例として、サーバー２からダウンロードしたコンテンツデータ４５ａ（２５ａ）と、ブラウザ４５ｂとが記憶されている。
【００３８】
本実施形態におけるコンテンツデータ４５ａは、文字列をページ表示するための画像ファイルと、文字列のテキストデータを当該文字列の表示位置データとともに記憶するテキストファイルとを有した所定のブック型デジタルコンテンツを構成するものであり、端末装置４のブラウザ４５ｂによって端末装置４上にて閲覧可能となる。ここでのブック型デジタルコンテンツは、各ページの表示内容全体が１つの画像ファイルにより表示されるものとなっている。
【００３９】
また、コンテンツデータ４５ａは、上記の各画像ファイルと、それら画像ファイルの表示されるべきページのページ番号（ページ情報）との対応関係を特定するためのデータ（ページ画像特定情報）を有するとともに、さらに、表示部４７にてページ単位でのコンテンツ表示を可能とするために、後述する所定のページ移動操作がなされるに伴い、当該データ（ページ画像特定情報）に基づいて、表示される画像ファイルを切り替えるプログラムとして機能するよう、所定のマークアップ言語（ここではＸＭＬ：Extensible Markup Language）にて記述された表示制御用データ（テキストファイル）を有している。
【００４０】
また、コンテンツデータ４５ａは、上記表示制御用データとは別の上記テキストファイルとして、各ページの画像ファイルによって画像として描画される文字列に対応する文字データを、文字列検索用のテキストデータの形で別途有しており、各ページにおいて描画（表示）されている文字列の検索が可能となっている。
【００４１】
さらに、コンテンツデータ４５ａは、上記文字データが示す各文字列の、各ページ上での表示位置を特定可能な表示位置データをテキストデータの形で有しており、上記の文字データを用いた文字列検索によってヒットした文字列があった場合には、ヒットした文字列ないしはその周辺領域をマーキング（マーキング画像を表示）することを可能にしている。なお、本実施形態におけるマーキング画像表示は、検索にヒットした文字列の行を対象にして表示するものと定められているので、ここでの表示位置データは、予め定められた各ページ上の平面座標系において、ページ毎に描画される各行の表示領域を特定する座標データと、それら各表示領域に含まれる文字列に対応した文字データとを対応付けたデータとが含まれており、１つの文字列が検索によってヒットした場合には、この表示位置データに基づいて、当該文字列に対応する行を特定することができ、この行の表示領域にマーキング画像を表示することが可能となっている。
【００４２】
さらに、コンテンツデータ４５ａには、ブラウザ４５ｂによって実行されるビューワソフトを有しており、このビューワソフトの実行により、表示部４７に画面表示される所定の閲覧ウィンドウ内にて、表示制御用データに基づくブック型デジタルコンテンツの表示が可能とされるとともに、表示された当該コンテンツにおける予め定められた各種の閲覧コマンドが実行可能とされている。また、このビューワソフトには、上記した文字列検索の機能が付与されるとともに、その検索でヒットした文字列ないしはその周辺領域にマーキング画像を表示する機能も付与されている。さらには、予め定められた閲覧コマンドの実行操作（コンテンツ閲覧操作）に伴いそのコマンドに係る操作ログを通信手段３を介してサーバー２に送信する機能も付与されている。
【００４３】
次に、サーバー２について説明する。サーバー２は、図３に示すように、ＣＰＵ２１、ＲＯＭ２３、ＲＡＭ２２、ハードディスクドライブ（ＨＤＤ）で構成された記憶装置２５、ネットワーク接続のための変復調部（モデム、ルータ、ＬＡＮボード等）２９、Ｉ／Ｏポート２４等が互いにバスを介して接続する構成を有し、さらに、キーボード、マウス、その他のポインティングデバイス等からなる入力部２８、液晶ディスプレイ等の表示部２７、スピーカ等の音声出力部２６、プリンタ３０等が、Ｉ／Ｏポート２４に接続する形で構成されている。
【００４４】
記憶装置２５には、実行される種々のプログラムとともに、それらプログラムの実行に必要な種々のデータを記憶している。また、図３に示すように、記憶装置２５には、端末装置４に配信されるコンテンツデータ２５ａと、当該コンテンツデータ２５ａを配信するための配信プログラム２５ｂと、当該コンテンツの配信に伴い端末装置４側から送信されてくるログを収集するログ収集プログラム２５ｃと、収集したログデータ２５ｄと、収集したログの集計結果をコンテンツ管理者が閲覧可能となるよう表示部２７やプリンタ３０からの出力を行うためのログ出力プログラム２５ｅが記憶されている。
【００４５】
次に、端末装置４における上記コンテンツデータ４５ａに基づくブック型デジタルコンテンツの閲覧について説明する。
【００４６】
端末装置４は、例えばインターネット上でのネット検索等を経て、自身の望むブック型デジタルコンテンツをダウンロード可能な所定のＷｅｂページを表示し、表示された当該Ｗｅｂページにおいて、例えば入力部４８をなすマウス等のポインティングデバイスによる位置選択操作（例えばマウスクリック等）等を行うことによって、当該デジタルコンテンツのコンテンツデータをダウンロードすることができる。
【００４７】
図４のＷｅｂページ２０１は、ブック型デジタルコンテンツをダウンロード可能な所定のＷｅｂページの一例である。表示部４７の画面上の所定ウィンドウ内には、当該Ｗｅｂページ２０１が表示されており、ブック型デジタルコンテンツをなす様々なコンテンツの一覧が表示されている。ここでは各種コンテンツを示す文字表示２０１Ａと、当該コンテンツを示す画像２０１Ｂとを有している。さらに、これらの表示２０１Ａ及び２０１Ｂは、対応するブック型デジタルコンテンツのコンテンツデータを上記位置選択操作によってダウンロードするための機能が割り当てられた操作ボタン（操作画像）２０１ａとされている。また、別の操作ボタンとして、対応するブック型デジタルコンテンツを紙面の形で配送してもらうための手続きページへのリンクボタン２０１ｃとしての機能が割り当てられた表示２０１Ｃも、各コンテンツに対応して設けられている。
【００４８】
図５のウィンドウ２００は、図４のＷｅｂページ２０１上のカタログＡに対応する操作ボタン２０１ａが操作された結果として表示されるコンテンツ閲覧用のウィンドウ（以下、閲覧ウィンドウという）である。図４のＷｅｂページ２０１において、カタログＡに対応する操作ボタン２０１ａが位置選択操作されると、端末装置４からサーバー２に向けて、操作された操作ボタン２０１ａに対応するコンテンツデータを要求するためのリクエスト信号が送信され、サーバー２では、これを受信するに伴い当該リクエスト信号に対応するコンテンツデータ２５ａを読み出して、当該リクエスト信号の送信元である端末装置４に送信する。そして、これを受けた端末装置４にて当該閲覧ウィンドウ２００が表示される。
【００４９】
なお、このときサーバー２では、当該端末装置４からのアクセスによるログインに伴いそのアクセスログを取得する。そして、以降、このセッションによって表示されるブック型デジタルコンテンツに対し、予め定められたコンテンツ閲覧操作がなされると、サーバー２にその操作ログが送信され、サーバー２側では、これがログデータとして順次記録される。サーバー２側で収集・集計されるこれらのログ情報は、セッション毎に対応付けられた形で記録・蓄積される。なお、ログ収集に係る詳細は後述する。
【００５０】
閲覧ウィンドウ２００内には、図５〜図１３に示すように、ブック型デジタルコンテンツの各ページを表示するためのページ表示領域２００Ａと、ページ表示領域２００Ａとは異なる領域にて当該ページ表示領域内の表示を変更するための複数の操作ボタン（操作画像）が表示されるコンテンツ操作領域２００Ｂと、各ページに描画される文章（文字列）２００ｔに対する文字列検索を行うための検索文字列入力領域２００Ｃとが設けられている。さらに言えば、当該ブック型デジタルコンテンツの目次を表示するための目次表示領域２００Ｄ、当該ブック型デジタルコンテンツのページ表示領域２００Ａ内にユーザーの所定操作に基づいて表示されたメモ書きの一覧を表示するためのメモ一覧表示領域２００Ｅとが設けられている。
【００５１】
図５のページ表示領域２００Ａは、ブック型デジタルコンテンツのトップページのみが表示された形となっているが、本実施形態のブック型デジタルコンテンツにおいては、このトップページとラストページとを除けば、図６に示すように、基本的には両開きで表示され、両開きの２ページを単位として切替表示される。両開きの表示においては、中央にページを区切る画像（ここでは線分、影等でリアルに表現してもよい）が表示される形で、左右両ページが区切られており、両ページ内の所定領域にはページ番号が付されている。ページ番号は、当該ブック型デジタルコンテンツのトップページ側からラストページ側に向けて順に付番されている。
【００５２】
コンテンツ操作領域２００Ｂは、各種操作ボタンが表示される領域であり、入力部４８への上記位置選択操作等によって、それら各種操作ボタンへの位置選択操作がなされると、操作された操作ボタンに対応する閲覧コマンドが実行される。ここでの操作ボタンは、２００ａ〜２００ｉまで存在しており、各々の操作ボタンには、ページ戻し機能（２００ａ）、ページ送り機能（２００ｂ）、トップページへのページ移動機能（２００ｃ）、ラストページへのページ移動機能（２００ｄ）、拡大表示機能（２００ｅ）、拡大表示を拡大前の状態に戻す機能（２００ｆ）、ページ表示領域２００Ａ内に任意の画像を描く機能（２００ｇ）、位置選択したページに付箋画像を貼る機能（２００ｈ）、ページ表示領域２００Ａ内に任意の位置に文字列入力領域を重ね表示して当該領域内に文字列の入力を可能とする機能（２００ｉ）が割り当てられている。なお、上記操作ボタンのようなコンテンツ閲覧用の操作領域は上記したもののみに限られず、他にも設けてもよい。例えば、ページ番号を任意に入力し、入力されたページ番号のページに移動する機能を有した操作領域等を設けてもよい。また、当該ブック型デジタルコンテンツを紙面の形で配送してもらうための手続きページへのリンクボタンを設けてもよい。
【００５３】
なお、上記操作ボタンのうち、入力部４８による上記位置選択操作がページ移動操作となるページ移動操作ボタンは操作ボタン２００ａ〜２００ｄであるが、閲覧ウィンドウ内にはこれら以外のページ移動操作ボタンもある。例えば、ページ表示領域２００Ａに表示されている各ページの画像領域も、その裏のページに相当するページにページ移動するためのページ移動操作ボタンとしての機能が割り当てられている。このようなページ単位でのページ移動は、上記表示制御用データ、上記ビューワソフト、上記ブラウザ、さらには、これらの基づく制御を実行する端末装置４のＣＰＵ４１によって実現されるものであり、これらがページ切替手段としての機能を果たしている。
【００５４】
ここで、コンテンツ操作領域２００Ｂの操作ボタン２００ｅ，２００ｇ，２００ｈ，２００ｉへの操作に伴い実行される、ページの拡大表示、任意画像表示、付箋画像表示、メモ画像表示について説明する。
【００５５】
ページの拡大表示は、コンテンツ操作領域２００Ｂに設けられた拡大表示用の操作ボタン２００ｅの操作により開始される。操作ボタン２００ｅに対し上記位置選択操作を行うと、それに伴い図１０のような拡大位置を指定させるための拡大位置指定用の画像２００Ｑが、それまで表示されていた位置指示画像２００Ｐに代わってページ表示領域２００Ａ上に表示される。本実施形態における拡大位置指定用画像２００Ｑは、拡大領域を指定する拡大領域枠画像とされているが、拡大中央位置を位置指定する拡大中心位置指示画像であってもよい。この拡大位置指定用画像をなす拡大領域枠画像２００Ｑは、入力部４８をなすポインティングデバイス等を用いる形でページ表示領域２００Ａ上を移動可能とされており、上記位置選択操作（ここでの位置選択操作が後述する拡大位置選択操作である）がなされると、図１１に示すように、当該拡大領域枠画像２００Ｑが指定している領域（拡大領域）が拡大されて表示される。なお、検索結果表示状態（後述するマーキング表示モードが設定されている状態）において拡大位置選択操作がなされた際に、指定された拡大領域にマーキング画像２００ｓが含まれていた場合には、他に含まれる文字列２００ｔや画像とともに当該マーキング画像２００ｓも拡大され、マーキング表示は継続する。この拡大表示状態を元に戻すためには、操作ボタン２００ｆに対し上記位置選択操作をすればよい。なお、本実施形態のブック型コンテンツにおいては、各ページにおいて拡大操作が可能とされているため、上記したページ表示用の画像ファイルは、各ページの通常表示の画像データだけでなく、それらに対応付けられた形でそれらよりも高解像度の拡大表示用の画像データを有している。
【００５６】
任意画像表示は、コンテンツ操作領域２００Ｂに設けられた任意画像表示用の操作ボタン２００ｇの操作により開始される。操作ボタン２００ｇに対し上記位置選択操作を行うと、それに伴い任意画像を描くための条件選択領域２００Ｇが表示されて、任意画像の形状や、線の太さ、色等を選択することが可能となる。そして、選択した条件で、ページ表示領域２００Ａ上に、任意画像を描くことができる。例えば、図１２に示すように、四角型の枠画像２００ｇ１や、丸型の枠画像２００ｇ２、線画像２００ｇ３等の任意画像を描くことができ、太さや色も変えられる。
【００５７】
付箋画像表示は、コンテンツ操作領域２００Ｂに設けられた付箋画像貼り付け用の操作ボタン２００ｆの操作により開始される。操作ボタン２００ｆに対し上記位置選択操作を行うと、それに伴いそれまで表示されていた位置指示画像２００Ｐに代わって、位置指示をする形で表示される付箋画像（図示なし）がページ表示領域２００Ａ上に表示される。そして、この状態で、ページ表示領域２００Ａ上に表示されたページ画像上に上記位置選択操作を行うと、図１３に示すように、ページ表示領域Ａの見開き方向（図の左右方向）において、位置選択されたページ画像側の端部に表示されたブックの厚み表示領域２００Ｈに、当該ページ画像上をまたがる形で付箋画像２００ｈ１が表示される。これにより、他のページに切り替えられても付箋画像２００ｈ１を視認することができる。また、別ページにおいて付箋画像２００ｈ１上を位置指示画像２００Ｐ等により位置指示すると、当該付箋画像２００ｈ１が貼り付けられたページのページ情報（ここではページ番号）が表示される。
【００５８】
メモ画像表示は、コンテンツ操作領域２００Ｂに設けられた任意画像表示用の操作ボタン２００ｉの操作により実施される。操作ボタン２００ｉに対し上記位置選択操作を行うと、それに伴いそれまで表示されていた位置指示画像２００Ｐに代わって、所定形状を有してなるメモを表示可能なメモ帳画像（メモ入力用画像）２００ｉ１が表示される。そして、この状態でページ上にて上記位置選択操作を行うと、図１３に示すように、位置選択操作により選択されたページ上の位置にメモ帳画像２００ｉ１が表示され、さらにメモ帳画像２００ｉ１の所定の記載領域を位置選択することで、入力部４８をなすキーボード等によって当該領域内への文字列入力が可能となる。
【００５９】
次に、検索文字列入力領域２００Ｃについて説明する。検索文字列入力領域２００Ｃは、検索入力を行わない際には、図５や図６に示すように、ページ表示領域２００Ａに重ならない形で、閲覧ウィンドウ２００の端部に縮小表示されている。そして、この検索文字列入力領域２００Ｃへの上記位置選択操作に伴い、図７に示すように、その閲覧ウィンドウ２００内にてページ表示領域２００Ａ上に重なる形で拡大表示され、検索する文字列を入力する領域（検索文字列入力領域）２００ｍと、検索実行操作ボタン（検索実行操作画像）２００ｎとが表示される。さらに、検索状態（検索実行状態及び検索結果表示状態）を解除するための機能が割り当てられた操作ボタン（検索解除操作画像）２００ｌも表示されている。なお、検索文字列入力領域２００ｍは、入力部４８とともに検索入力手段として機能する。
【００６０】
検索文字列入力領域２００Ｃを用いてなされた検索結果は、図８に示すように、閲覧ウィンドウ２００内の所定の検索結果表示領域において、一覧表示の形にて表示される。本実施形態における検索結果表示領域は、図７及び図８に示すように、検索文字列入力領域２００Ｃと共に拡大縮小する一体の領域２００Ｆとして設けられており、検索文字列入力領域２００Ｃと同様、ページ表示領域２００Ａ上に重なる形で拡大表示され、検索文字列入力領域２００Ｃの縮小に伴い同様に縮小表示される。つまり、本実施形態における検索結果表示領域２００Ｆと検索文字列入力領域２００Ｃとは、双方が一体の検索領域として構成されており、この検索領域が使用時には拡大表示され、未使用時には縮小表示されるのである。
【００６１】
検索結果表示領域２００Ｆにおける検索結果の一覧表示において、一覧に含まれる個々の表示は、検索にヒットした各文字列を含むものであり、場合によっては、それら各文字列の周辺の文字列をも含むものとされる。これらの一覧表示する際には、上記した文字列検索用の文字データ（テキストデータ）を用いる形で、検索にヒットした各文字列、ないしは検索にヒットした各文字列を含む周辺の文字列を表示する。
【００６２】
また、検索結果の一覧表示は、図８に示すように、検索結果表示領域２００Ｆにおいて、ヒットした検索文字列（検索キーワード）に対し、当該文字列が表示されているページを特定可能なページ情報（ここではページ番号）が対応付けられた形で表示されている。これにより、ユーザーに対しヒットした検索文字列の閲覧を促すような形となっている。さらに、本実施形態においては、一覧表示された検索結果の個々の文字列の表示領域が、所定操作部からの当該表示領域への上記位置選択操作に基づいて、各々に対応する文字列が表示されているページに表示を切り替えるためのページ移動操作ボタン（ページ移動用操作画像）として設定されている。これにより、検索結果表示領域２００Ｆから直接、ヒットした検索文字列の表示ページに移動することが可能となっている。また、検索結果の一覧表示された各表示に対し、入力部４８をなすポインティングデバイス等により上記位置指示を行うと、位置指示された個々の表示領域の表示状態が切り替わり、どこが位置指示されたかが視覚的に分かるようになっている。
【００６３】
また、検索結果は、ページ表示領域２００Ａ上にも視覚的に表示される。具体的に言えば、少なくとも検索された検索文字列を含む形で所定の方法で定められる当該検索文字列の周辺領域にマーキング画像２００ｓを施すことにより他の表示よりも強調する。これにより、検索した文字列のページ上での位置を見つけ易い。本実施形態における検索文字列の周辺領域は、当該検索文字列を含む行として定められており、行単位でマーキング領域が定められることで、マーキング領域を特定する処理の簡易化が図られている。
【００６４】
なお、このマーキング画像２００ｓの表示状態は、さらに、検索状態が解除されなければ継続される。例えば図８から図９に示すようにページ移動があったとしても、移動した先のページにおいて、マーキング画像２００ｓを表示すべき検索文字列が表示されている場合には、そのページにおいてもマーキング画像２００ｓは表示される。当該ブック型デジタルコンテンツにおいて定められた所定の検索解除操作がなされなければ、当該検索状態に係るマーキング画像２００ｓの表示状態は継続する。本実施形態においては、検索解除のための操作ボタン（検索解除操作画像）２００ｌへの上記位置選択操作、ブック型デジタルコンテンツの閲覧を終了するための操作、別の文字列検索を実行する操作のうちのいずれかがなされるに伴い、その直前になされた検索結果であるマーキング画像の表示は終了しない。なお、別の文字列検索が実行された場合には、それまでのマーキング画像２００ｓの表示は終了するが、新たに行われた検索にてヒットする文字列があると、当該文字列に対応するマーキング画像２００ｓの表示が新たになされる。
【００６５】
目次表示領域２００Ｄ及びメモ一覧表示領域２００Ｅは、検索文字列入力領域２００Ｃと同様、使用しない際には縮小化されており、それらの領域２００Ｄ、２００Ｅへの上記位置選択操作により、閲覧ウィンドウ２００内にてページ表示領域２００Ａ上に重なる形で拡大表示される。なお、これらの表示領域は、上記した検索文字列入力領域２００Ｃ（検索結果表示領域２００Ｆを含む）と同様の拡大表示領域が割り当てられている。拡大された目次表示領域２００Ｄには、当該ブック型デジタルコンテンツにおける目次が表示され、各ページに対応する表示領域は、対応するページに表示を切り替えるページ移動機能が割り当てられたページ移動操作ボタンとされている。拡大されたメモ一覧表示領域２００Ｅには、既に述べたメモ画像表示の一覧が表示されており、各メモに対応する表示領域には、当該メモが貼り付けられたページに表示を切り替えるページ移動機能が割り当てられたページ移動操作ボタンとされている。
【００６６】
ここで、端末装置４にて行われる文字列検索処理（キーワード検索処理）の流れについて、図１４のフローチャートを用いて説明する。当該文字列検索処理は、端末装置４においてＣＰＵ４１がブラウザ４５ｂを起動し、ブラウザ４５ｂによってコンテンツデータ４５ａに含まれるビューワソフトが実行される形でなされる処理であり、これにより、検索実行手段として機能する。
【００６７】
Ｓ１では、端末装置４５のＣＰＵ４１が、検索が開始されたか否かを判定する。この判定は、図６のように縮小化されている検索領域２００Ｃ，２００Ｆを、図７のように拡大表示するための操作がなされたか否かに基づいて判定する。検索領域２００Ｃ，２００Ｆを拡大表示するための操作がされた場合には検索開始と判断されてＳ２に進み、他方、当該操作がされなければＳ７にて、コンテンツ内にて検索された文字列がヒットした際に所定領域をマーキングするマーキング表示モードを解除した形で本処理を終了する。
【００６８】
Ｓ２では、検索開始の判断に伴い端末装置４５のＣＰＵ４１が、自身に上記マーキング表示モードを設定してＳ３に進む。
【００６９】
Ｓ３では、入力部４８をなすキーボード等から、検索文字列入力領域２００ｍに検索文字列が入力され、その上で検索実行操作ボタン２００ｎに対し上記位置選択操作がなされたか否かを、端末装置４５のＣＰＵ４１が判定する。検索文字列が入力され、その上で検索実行操作ボタン２００ｎに対し上記位置選択操作がなされた場合にはＳ４に進み、そうでなければＳ６に進む。
【００７０】
Ｓ４では、入力された文字列の検索処理を行う。当該検索処理は、コンテンツデータに含まれる文字データに対し実行される。続くＳ５では、端末装置４５のＣＰＵ４１が、当該検索処理の結果を検索結果表示領域２００Ｆに、例えば図８のような形で一覧表示する。
【００７１】
Ｓ６では、端末装置４５のＣＰＵ４１が、検索が終了したか否かを判定する。ここでは、検索状態を解除するための操作ボタン２００ｌの操作や、コンテンツの終了操作を検索終了操作と判断し、これに基づき検索終了を判断する。検索終了であればＳ７に進み、そうでなければＳ３に戻る。
【００７２】
Ｓ７では、端末装置４５のＣＰＵ４１が、設定されているマーキング表示モードを解除する。その上で、本処理は終了する。なお、本処理は、所定周期で繰り返し実行される。
【００７３】
以下、検索にヒットした文字列に対しマーキングを施すマーキング表示処理の流れについて、図１５のフローチャートを用いて説明する。当該マーキング表示処理は、端末装置４においてＣＰＵ４１がブラウザ４５ｂを起動し、ブラウザ４５ｂによってコンテンツデータ４５ａに含まれるビューワソフトを実行する形で実施可能となる処理であり、これにより、検索文字列表示位置特定手段、マーキング表示手段として機能する。
【００７４】
なお、このマーキング表示処理は、上記した図１４の文字列検索処理において、マーキング表示モードが設定されるに伴い実行されるものである。Ｓ１１では、入力部４８をなすキーボード等から、検索文字列入力領域２００ｍに新たな検索文字列が入力され、その上で検索実行操作ボタン２００ｎに対し上記位置選択操作がなされたか否かを、端末装置４５のＣＰＵ４１が判定する。これは、図１４の文字列検索処理のＳ３の結果を用いて判定する。検索文字列が入力され、その上で検索実行操作ボタン２００ｎに対し上記位置選択操作がなされた場合にはＳ１２に進み、そうでなければＳ１８に進む。
【００７５】
続くＳ１２では、端末装置４５のＣＰＵ４１が、現段階でのマーキング表示を解除する。つまり、この段階で検索結果として画面表示されているマーキング画像２００ｓを消す。
【００７６】
Ｓ１３では、端末装置４５のＣＰＵ４１が、図１４の文字列検索処理のＳ４において得られた検索結果を取得する。Ｓ１４では、端末装置４５のＣＰＵ４１が、検索にヒットした文字列の表示位置を、検索に使用した文字データに対応する表示位置データに基づいて特定し、さらに、当該文字列に対するマーキング画像表示用の領域（当該文字列の所定の周辺領域（検索文字列周辺領域）：ここでは当該文字列が含まれる行の表示領域）を特定する。Ｓ１５では、端末装置４５のＣＰＵ４１が、Ｓ１４で特定されたマーキング画像表示用の領域のうち、現在表示されているページ上におけるマーキング画像表示用の領域を特定し、Ｓ１６では、特定された当該画像表示用領域にマーキング画像２００ｓを重ね表示する。なお、マーキング画像２００ｓは、当該画像表示用の領域に表示される文字列が視認可能な表示形態（例えば半透過画像や非透過画像の点滅表示等）とされている。本実施形態におけるマーキング画像２００ｓは、半透過画像とされ、さらにはその半透過画像が点滅する形で表示される。
【００７７】
Ｓ１７では、端末装置４５のＣＰＵ４１が、上述した各種のページ移動操作ボタンへの位置選択操作（ページ移動操作）がなされたか否かを判定し、当該操作がなされた場合にはＳ１５に進み、移動先のページにて特定されるマーキング画像表示用の領域に、マーキング画像２００ｓを重ね表示する。他方、ページ移動操作がない場合にはＳ１８に進む。
【００７８】
Ｓ１８では、図１４の文字列検索処理において、マーキング表示モードが解除されたか否かを判定する。解除されていた場合にはＳ１９に進み、解除されていなければＳ１１に戻る。
【００７９】
Ｓ１９では、Ｓ１２と同様に、端末装置４５のＣＰＵ４１が、現段階でのマーキング表示を解除し、本処理を終了する。なお、本処理は、マーキング表示モードが設定されるに伴い実行され、マーキング表示モードが設定され続けている限りは所定周期で繰り返し実行されるようになっている。
【００８０】
以下、端末装置４とサーバー２とが連携する形で実施されるログ収集処理について、その流れを図１６のフローチャートを用いて説明する。
【００８１】
なお、サーバー２におけるログ収集処理は、ＣＰＵ２１がログ収集プログラム２５ｃを実行する形で行う。他方、端末装置４におけるログ収集処理は、通常の通信処理と、さらにはコンテンツデータ４５ａがダウンロードされた後にはそれに含まれるビューワソフトによる操作ログ送信処理とによって実行される処理である。なお、サーバー２と端末装置４の間での通信は、当然図１の通信手段３を介してなされ、これにより、端末装置４側がログ送信手段として機能し、サーバー２側がログ受信手段及びログ記録手段として機能する。
【００８２】
まずは、端末装置４側のＳ１０１において、サーバー２内に記憶されているブック型デジタルコンテンツを当該端末装置４上で閲覧するために、コンテンツデータを要求するリクエスト信号を送信するコンテンツデータ要求操作を行う。これは通常のＨＴＴＰによる通信処理に従い実行される処理である。サーバー２は、当該リクエスト信号の受信に伴い、Ｓ２０１にて当該リクエスト信号の送信元となる端末装置のログインを認識するとともに、Ｓ２０２にて受信したリクエスト信号に基づいて、第一ログ（閲覧ログ）を取得する。
【００８３】
なお、本実施形態において、ログ情報は、１つのセッションを単位として記録されるものであり、例えば、図１７及び図１８のように記録される。ここでいう第一ログは、閲覧者情報（当該端末装置４のＩＰアドレスあるいはホスト名（ここではドメイン名））、初回訪問者であるかリピーターであるかを特定する情報、閲覧者のブラウザ情報、閲覧者のＯＳ（Operating System）情報、直前に閲覧していたＷｅｂページ情報（リンク元情報）、アクセス日、アクセス曜日、アクセス開始時間等であり、端末装置４側からのアクセスに伴いこれらを得る。具体的に言えば、これらの第一ログに関する情報は、リクエスト信号として送信されたパケットのヘッダー情報を解析したり、リクエスト信号受信時（アクセス時）の時間情報を記憶したといった予め定められた手法によって取得する。
【００８４】
なお、このとき、サーバー２においては、上記の第一ログの収集とともに、当該リクエスト信号の受信に伴い端末装置４側にて指定されたブック型デジタルコンテンツのコンテンツデータ２５ａを当該端末装置４に送信するコンテンツデータ配信処理（配信プログラム２５ｂ）が別途実行される。端末装置４は、配信された当該コンテンツデータを受信すると、ブラウザ４５ｂによって、当該コンテンツデータに含まれているビューワソフトを実行する形で、受信したコンテンツデータに基づくブック型デジタルコンテンツの表示処理を開始する。また、このビューワソフトの実行により、続くＳ１０２及びＳ１０３において、操作ログ送信処理（ログ送信手段）も実行される。
【００８５】
Ｓ１０２においては、端末装置４のＣＰＵ４１が、当該端末装置４にてブック型デジタルコンテンツを閲覧するユーザーによって、予め決められたコンテンツ閲覧操作がなされたか否かを判定する。予め決められたコンテンツ閲覧操作がなされた場合には、当該操作に対応する制御が実行される一方で、その操作ログを第二ログとしてサーバー２に送信される。一方のサーバー２は、Ｓ２０３にてその第二ログを受信し（ログ受信手段）、これを時系列順に順次記録・蓄積していく（ログ記録手段）。つまり、第二ログ（閲覧ログ）は、各操作の順序が反映された形でサーバー２に記録される。各操作がなされた時刻情報を対応付けて記録・蓄積してもよい。
【００８６】
なお、本実施形態における予め決められたコンテンツ閲覧操作としては、ページ移動操作を行い、かつ移動した先のページで所定時間継続して表示状態を継続する操作（ページ閲覧操作）、拡大表示操作、任意画像表示操作、付箋画像表示操作、メモ画像表示操作、検索実行操作等である。
【００８７】
ここでのページ閲覧操作は、例えば操作ボタン２００ａ〜２００ｄへの上記位置選択操作や、操作ボタン２００Ｃ〜２００Ｆ等のページ移動用の操作ボタンへの上記位置選択操作であり、これらの操作がなされた後、閲覧装置４では、図示しないタイマーによるカウントを開始し、所定時間を越えて表示されたページを端末装置４のユーザーにより閲覧された閲覧ページと特定し、当該閲覧ページのページ番号を上記第二ログとしてサーバー２に送信する。これにより、サーバー２には、どのページが何回読まれているかという正確な統計情報が蓄積されることになる。図１８のページビューには、サーバー２に記録されたページ閲覧操作の操作ログの一例が示されている。
【００８８】
また、ここでの拡大表示操作は、既に述べた拡大位置選択操作のことである。拡大位置選択操作がなされた場合には、当該拡大位置選択操作がなされたことを示す操作ログ（拡大表示操作実績情報）が上記第二ログとしてサーバー２に送信される。このとき、端末装置４において、当該拡大位置選択操作がなされたページが特定され（拡大表示操作ページ特定手段）、その操作ログ（拡大表示操作実績情報）として、特定されたページを示すページ情報（拡大表示操作ページ情報：ここではページ番号）がサーバー２に送信される。さらに本実施形態においては、端末装置４において、当該拡大位置選択操作により位置選択されたページ上の選択位置（拡大表示操作位置）が特定され（拡大表示操作位置特定手段）、上記操作ログ（拡大表示操作実績情報）として、上記ページ情報に対し、特定された選択位置を示す位置情報（拡大表示操作位置情報）を対応付けたものがサーバー２に送信される。なお、ここでの位置情報とは、例えば閲覧ウィンドウ２００ないしページ表示領域２００Ａの全体領域に対し定められる所定の平面座標系における位置座標である。つまり、本実施形態における拡大位置選択操作に係る操作ログは、拡大操作を行ったページのページ番号と、ページ上での拡大位置座標とが、それぞれ対応付けられた情報としてサーバー２に送信される。これにより、サーバー２には、どのページのどの位置が注目されているかという統計情報が蓄積されることになる。拡大されるということは、そのページ、その拡大領域へのユーザーの関心度が高いことを意味するからである。図１８のズームには、サーバー２に記録された拡大表示操作の操作ログの一例が示されている。
【００８９】
また、ここでの任意画像表示操作は、操作ボタン２００ｇに対し上記位置選択操作を行い、さらに条件選択領域２００Ｇから任意画像の形状や、線の太さ、色等を選択し、選択した条件でページ表示領域２００Ａ上に任意画像（例えば図１２の２００ｇ１〜２００ｇ３等）を描く操作である。任意画像表示操作がなされた場合には、当該任意画像表示操作がなされたことを示す操作ログ（任意画像表示操作実績情報）が上記第二ログとしてサーバー２に送信される。このとき、端末装置４において、当該任意画像表示操作がなされたページが特定され（任意画像表示操作ページ特定手段）、その操作ログ（任意画像表示操作実績情報）として、特定されたページを示すページ情報（任意画像表示操作ページ情報：ここではページ番号）がサーバー２に送信される。さらに本実施形態においては、端末装置４において、当該任意画像表示操作により描画された任意画像の、ページ上での描画位置（任意画像表示操作位置）が特定され（任意画像表示操作位置特定手段）、上記操作ログ（任意画像表示操作実績情報）として、上記ページ情報に対し、特定された選択位置を示す位置情報（任意画像表示操作位置情報）を対応付けたものがサーバー２に送信される。なお、ここでの位置情報は、上記と拡大表示操作の場合と同様の位置座標である。つまり、本実施形態における任意画像表示操作に係る操作ログも、任意画像を描画したページのページ番号と、ページ上での任意画像の描画位置座標とが、それぞれ対応付けられた情報としてサーバー２に送信される。これにより、サーバー２には、どのページのどの位置が注目されているかという統計情報が蓄積されることになる。任意画像が描画されるということは、そのページ、その描画領域へのユーザーの関心度が高いことを意味するからである。図１８の付箋／メモ／ペンツールには、サーバー２に記録された任意画像表示操作の操作ログの一例が示されている。
【００９０】
また、ここでの付箋画像表示操作は、操作ボタン２００ｇに対し上記位置選択操作を行い、ページ表示領域２００Ａ上に付箋画像（例えば図１３の２００ｈ１等）を貼り付ける操作である。付箋画像表示操作がなされた場合には、当該付箋画像表示操作がなされたことを示す操作ログ（付箋画像表示操作実績情報）が上記第二ログとしてサーバー２に送信される。このとき、端末装置４において、当該付箋画像表示操作がなされたページが特定され（付箋画像表示操作ページ特定手段）、その操作ログ（付箋画像表示操作実績情報）として、特定されたページを示すページ情報（付箋画像表示操作ページ情報：ここではページ番号）がサーバー２に送信される。さらに、この場合も、端末装置４において、付箋画像をページ上に貼り付けるためになされた位置選択操作により選択されたページ上の選択位置（付箋画像表示操作位置）を特定し（付箋画像表示操作位置特定手段）、上記ページ情報に対し、特定された選択位置を示す位置情報（付箋画像表示操作位置情報）を対応付けたものをサーバー２に送信してもよい。なお、ここでは、付箋画像表示操作を行ったページのページ番号のみが、上記第二ログとしてサーバー２に送信される。これにより、サーバー２には、どのページが注目されているかという正確な統計情報が蓄積されることになる。付箋画像が貼り付けられるということは、そのページへのユーザーの関心度が高いことを意味するからである。図１８の付箋／メモ／ペンツールには、サーバー２に記録された付箋画像表示操作の操作ログの一例が示されている。
【００９１】
また、ここでのメモ画像表示操作は、操作ボタン２００ｇに対し上記位置選択操作を行い、ページ表示領域２００Ａ上にメモ帳画像（メモ入力用画像）を貼り付ける操作である。メモ画像表示操作がなされた場合には、当該メモ画像表示操作がなされたことを示す操作ログ（メモ画像表示操作実績情報）が上記第二ログとしてサーバー２に送信される。このとき、端末装置４において、当該メモ画像表示操作がなされたページが特定され（メモ画像表示操作ページ特定手段）、その操作ログ（メモ画像表示操作実績情報）として、特定されたページを示すページ情報（メモ画像表示操作ページ情報：ここではページ番号）と、当該メモ画像表示操作に伴い表示されたメモ帳画像内への入力文字情報とがサーバー２に送信される。さらに本実施形態においては、端末装置４において、当該メモ画像表示操作により表示された任意画像の、ページ上での表示位置（メモ画像表示操作位置）が特定され（メモ画像表示操作位置特定手段）、上記操作ログ（メモ画像表示操作実績情報）として、上記ページ情報と、これに対応する上記入力文字情報とに対し、特定された選択位置を示す位置情報（メモ画像表示操作位置情報）を対応付けたものがサーバー２に送信される。なお、ここでの位置情報は、上記と拡大表示操作の場合と同様の位置座標である。つまり、本実施形態におけるメモ画像表示操作に係る操作ログも、任意画像を表示したページのページ番号と、ページ上での任意画像の表示位置座標とがそれぞれ対応付けられた情報としてサーバー２に送信される。これにより、サーバー２には、どのページのどの位置が注目されているかという統計情報が蓄積されることになる。任意画像が表示されるということは、そのページ、その表示領域へのユーザーの関心度が高いことを意味するからである。図１８の付箋／メモ／ペンツールには、サーバー２に記録されたメモ画像表示操作の操作ログの一例が示されている。
【００９２】
また、検索実行操作は、検索文字列入力領域２００ｍへの文字列入力がなされた状態での検索実行操作ボタン２００ｎへの上記位置選択操作である。当該操作がなされた場合に、検索文字列入力領域２００ｍに入力されていた検索文字列は、検索結果に対応付けられた形で、上記第二ログとしてサーバー２に送信される。検索結果としては、その文字列のヒット数と、ヒットした文字列が表示されたページのページ番号とを含むものである。ヒットした文字列が表示されたページにおける、当該文字列の表示位置（表示位置座標）を含むものであってもよい。これにより、サーバー２には、どのような検索文字列に関心があるかという統計情報が蓄積されることになり、その結果から、ユーザーの注目する内容を分析したり、入力される文字列の傾向を分析することもできる。図１８の、ヒットしたキーワード／ヒットしなかったキーワードには、サーバー２に記録された検索実行操作の操作ログの一例が示されている。
【００９３】
さらに、本発明においては、検索実行時（マーキング表示モード）において、ページ上への位置選択操作の形でなされる予め決められたコンテンツ閲覧操作により操作されたページが、検索結果を強調して表示しているマーキング画像２００ｓを表示しているページであった場合には、当該マーキング画像２００ｓがユーザーにより閲覧されたと判断し、当該マーキング画像への閲覧実績があったことを示す操作ログ（検索結果閲覧情報）を上記第二ログとしてサーバー２に送信するようになっている。本実施形態においては、検索結果としてマーキング画像が表示された状態において、当該マーキング画像を表示したページに対し上記拡大表示操作がなされた場合には、当該ページをユーザーにより閲覧された閲覧ページと特定し（閲覧ページ特定手段）、そのページを特定可能なページ情報（閲覧ページ情報）を操作ログ（上記第二ログ）としてサーバー２に送信する。なお、この閲覧ページ特定手段は、上記の拡大表示操作ページ特定手段に兼用させることができる。さらに、本実施形態においては、上記閲覧ページ対しなされた上記拡大表示操作による選択位置（操作位置）を特定し（閲覧位置特定手段）、当該選択位置をユーザーによる閲覧位置として、その位置情報を上記閲覧ページ情報に対応付けてサーバー２に送信する。そして、これがサーバー２にて記録・蓄積される。なお、この閲覧位置特定手段も、上記の拡大表示操作位置特定手段に兼用させることができる。
【００９４】
具体的にいえば、本実施形態における拡大表示操作に係る操作ログには、拡大表示操作がなされたときに検索結果として表示しているマーキング画像２００ｓを閲覧したか否かを特定可能なフラグが設けられており、マーキング画像２００ｓが表示された領域に対し上記拡大表示操作がなされた場合には、当該フラグをセットした形で当該拡大表示操作に係る操作ログが送信される一方で、そのマーキング画像２００ｓが表示されていない領域に対し上記拡大表示操作がなされた場合には、当該フラグがアンセットされた状態で操作ログが送信されるようになっている。
【００９５】
サーバー２では、この拡大表示操作に係る操作ログを受信した場合には、既に述べたように、上記フラグのセット／アンセットに関らず拡大表示に係る操作ログとしてこれを拡大表示操作実績として記録する一方で（図１８のズーム参照）、当該フラグがセットされた状態の操作ログを受信した場合には、当該操作ログから、その時表示されている検索結果の検索文字列に対する閲覧があったとして、その閲覧実績を当該検索文字列に対応付ける形で、上記拡大表示操作実績情報とは別の検索結果閲覧実績情報として記録・蓄積する（図１８のキーワード検索ズーム参照）。
【００９６】
これにより、検索にヒットした検索文字列がユーザーによって閲覧されたか否かを、当該操作ログから正確に把握することができる。なお、フラグがセットされた状態の操作ログを受信した場合には、その直前に受信している検索文字列を取得し、これと対応付けた形で、当該検索文字に対する閲覧実績を記録・蓄積する。図１８のキーワード検索ズームには、サーバー２に記録された、検索結果表示時（マーキング画像表示時）における拡大表示操作に係る操作ログの一例が示されている。
【００９７】
なお、上記フラグに加えて、あるいは、上記フラグに代わって、その時の結果表示されている検索文字列を対応付けた操作ログをサーバー２に送信するようにしてもよい。これにより、サーバー２では、他の操作ログを参照することなく、この操作ログのみに基づいて、検索文字列と当該文字列に対する閲覧実績を対応付けて記録できる。
【００９８】
また、サーバー２に上記検索結果閲覧実績情報として記録・蓄積されるログ情報は、検索結果表示時（マーキング画像表示時）になされた拡大表示操作に係る操作ログに含まれるページ情報だけでもよいが、本実施形態においては、そのページ情報とともに含まれる拡大表示位置情報を、当該ページ情報に対応付けたものとしている。
【００９９】
また、上記操作ログ（第二ログ）のうち、検索した検索文字列を送信する場合には、検索文字列入力領域２００ｍに入力された文字列が用いられる。
【０１００】
図１６に戻る。Ｓ１０４では、現在のブック型デジタルコンテンツの閲覧を終了する操作がなされたか否かを判定する。この閲覧終了操作は、閲覧ウィンドウに対する所定の閲覧終了操作によって可能となる。例えば、図示されていない閲覧ウィンドウ枠の右上に位置する閲覧終了用の操作ボタンを、入力部４８により位置選択操作することにより、閲覧終了となる。閲覧終了と判定されなければＳ１０２に戻り、閲覧終了と判定された場合にはＳ１０５に進む。
【０１０１】
Ｓ１０５では、閲覧終了に伴い閲覧終了信号をサーバー２に送信し、その上でビューワソフトを終了する。サーバー２は、当該閲覧終了信号の受信に伴い、Ｓ２０４にて当該閲覧終了信号の送信元となる端末装置４のログアウト（セッション終了）を認識するとともに、Ｓ２０５にて受信した閲覧終了信号に基づいて、第三ログを取得する。
【０１０２】
なお、本実施形態における第三ログは、総閲覧時間（アクセス時間）である。閲覧装置４が、Ｓ１０１での閲覧開始に伴い図示されないタイマーによるカウントを開始し、当該閲覧終了までに計時された時間を記録する。
【０１０３】
端末装置４側での処理は以上で終了となる。他方、サーバー２では、Ｓ２０６に示すように、当該セッションにおいて収集したログ情報を、これまでに記録・蓄積してきたログ情報と合わせて集計する処理を行う。本実施形態におけるログ情報の集計処理は、図１９〜図３３のような形でなされるものであり、当該セッションにおいて収集したログ情報を、予め決められた項目毎）に集計する。なお、この処理は、サーバー２側にて、ログ出力処理（ログ出力プログラム２５ｅ）を実行する際になされるものであってもよい。これにより、ログ出力手段として機能する。
【０１０４】
項目としては、閲覧者毎の訪問数（ＩＰアドレス毎に分類した訪問数で、ドメイン名が特定可能であればＩＰアドレスに代わりドメイン名により分類する）、初回閲覧者（初回訪問者）及びリピーターの各訪問数、ブラウザ毎に分類した閲覧数（訪問数）、ＯＳ（Operating System）毎に分類した閲覧数（訪問数）、直前の閲覧Ｗｅｂページ（リンク元）毎に分類した閲覧数（訪問数）、アクセス日毎に分類した閲覧数（訪問数）、アクセス曜日毎に分類した閲覧数（訪問数）、アクセス開始時間毎に分類した閲覧数（訪問数）、平均閲覧時間、コンテンツ内の所定リンクへの操作数、ページ毎の閲覧回数（ページビュー）、ページ毎の拡大操作回数（ズーム）、検索にヒットした文字列毎の検索数、検索にヒットしなかった文字列毎の検索数、検索にヒットした文字列毎の検索結果表示字における閲覧実績（コンテンツ閲覧操作数）、ページ毎の付箋画像（付箋）／メモ帳画像（メモ）／任意画像（ペンツール）／等といったユーザー描画実績（描画種別毎の描画数）、ページ毎のリンク操作数（リンクへのクリック数）、ページ毎の動画や音声、静止画の閲覧数（再生回数・表示回数）等が挙げられる。
【０１０５】
以下、サーバー２にて行われるログ出力処理の流れについて、説明する。ログ出力処理は、サーバー２においてＣＰＵ２１がログ出力プログラム２５ｅを実行する形でなされる処理である。
【０１０６】
まずは、図３４のように、ログイン画面３００が表示されて、ユーザーＩＤ及びパスワードを入力する領域３００Ａ，３００Ｂに、登録されているユーザーＩＤ及びパスワードを入力して、ログインボタン３００Ｃを位置選択操作する。これにより、図３５のような管理画面３０１が表示される。
【０１０７】
図３５の管理画面３０１には、ログ情報表示領域３０１Ａと、ログ種別選択操作領域３０１Ｂとが設けられている。図３５に示すログ情報表示領域３０１Ａには、管理画面３００が表示される際に最初に表示されるページ（トップページ）であり、サーバー２がログ管理をしているブック型デジタルコンテンツの一覧が表示されている。ここで、ログ種別選択操作領域３０１Ｂの各種操作ボタン（操作画像）が、サーバー２の入力部２８をなすポインティングデバイス等で上記のように位置選択操作されると、位置選択された項目に関するこれら全コンテンツのログ情報の集計結果が表示される。
【０１０８】
一方で、図３５に示す管理画面３００のトップページにおいて、一覧表示されたブック型デジタルコンテンツに対し、上記のような位置選択操作がなされると、位置選択されたブック型デジタルコンテンツに特化したログ情報のみが再集計され、その集計結果が表示される。
【０１０９】
なお、一覧表示されたブック型デジタルコンテンツに対する上記位置選択操作は、当該コンテンツに関連するログ情報表示領域３０１Ａ上のリンク領域への操作により可能とされており、本実施形態においては、当該リンク領域として、ズーム回数、ページビュー、タイトルに表示された画像ないし文字列（符号３０１ａ，３０１ｂ，３０１ｃ）が定められている。ログ情報表示領域３０１Ａのレポート保存に対応する画像表示３０１ｄは、当該表示３０１ｄが位置選択されることにより、対応するブック型デジタルコンテンツのログ情報が記録されたファイルが生成され、これを所定領域内（例えば所定の携帯型記録媒体等）に保存することができる。
【０１１０】
図３６は、図３５に示す管理画面３００のトップページにて、カタログＡに対応するページビュー画像３０１ａを位置選択操作したときに表示される画面の一例である。画面左のログ種別選択操作領域３０１Ｂに表示される各項目に対し上記位置選択操作を行うことにより、カタログＡのみに関する様々なログ情報が表示される。具体的に言えば、ログ情報表示領域３０１Ａ内に表示される表示内容は全てカタログＡに関しての情報のみとなり、ログ種別選択操作領域３０１Ｂに表示される各項目に対し上記位置選択操作を行うことにより、その表示内容が、位置選択された項目に対応する内容に変更され、例えば、図３７や図３８のような表示がなされる。これらの表示は、数字の列挙ではなく、円グラフや棒グラフなど、各項目に対し予め定められた視覚効果表現を利用する形でなされる。
【０１１１】
なお、ログ情報表示領域３０１Ａに表示されるページ毎の閲覧回数（ページビュー）の項目については、図３６に示すように、ページ番号（符号３０２ａ）と、そのページの閲覧回数（符号３０２ｂ）とを対応付けた表の形で視覚的に表示するだけでもよいが、それだけではなく上記視覚効果表現として、当該ページの表示内容、つまり当該ページの全体画像（端末装置４において閲覧用に表示される画像の縮小画像）３０２Ｖを合わせて表示している。なお、本実施形態におけるブック型デジタルコンテンツは、両面開きの形で表示されることをものであるから、両面開きにて表示される両ページ３０２ｖ、３０２ｖを単位とする形で、それら双方のページ番号（符号３０２ａ）と、それらからなる見開きページの閲覧回数（符号３０２ｂ）とを対応付け、さらに、その見開きページの全体画像を合わせて表示している。なお、この表示は、図２８に示すログ情報に基づいて生成・表示されるものである。
【０１１２】
そして、一覧表示されるそれら見開きページの全体画像（縮小画像）３０２Ｖに対し上記のような位置選択操作がなされることにより、当該全体画像３０２Ｖは、図３９に示すように、ログ情報表示領域３０１Ａ内において拡大表示される（拡大画像３０２Ｖ’：符号３０２ａ’、３０２ｂ’は符号３０２ａ、３０２ｂが拡大されたもの）。つまり、一覧表示されるそれら見開きページの全体画像３０２Ｖには、拡大表示用の操作画像としての機能が割り当てられている。
【０１１３】
また、ログ情報表示領域３０１Ａに表示されるページ毎の拡大操作回数（ズーム）の項目については、図４０に示すように、ページ番号（符号３０３ａ）と、そのページにおける拡大表示操作回数（符号３０３ｂ）とを対応付けた表の形で視覚的に表示するだけでもよいが、それだけではなく上記視覚効果表現として、当該ページの表示内容、つまり当該ページの全体画像（端末装置４において閲覧用に表示される画像の縮小画像）３０３Ｖを合わせて一覧表示するとともに、拡大表示操作がなされた位置に拡大位置指示画像３０３ｘを表示して、拡大表示された各位置を具体的に表示している。
【０１１４】
そして、それら各全体画像３０３Ｖに対し上記のような位置選択操作がなされることにより、当該全体画像３０３Ｖは、図４１に示すように、ログ情報表示領域３０１Ａ内において拡大表示される（拡大画像３０３Ｖ’：符号３０３ａ’、３０３ｂ’は符号３０３ａ、３０３ｂが拡大されたもの）。つまり、一覧表示される各ページの全体画像３０３Ｖには、拡大表示用の操作画像としての機能が割り当てられている。一覧表示時における縮小画像は拡大位置指示画像３０３ｘが小さくて見辛い可能性があり（図４０では拡大位置指示画像３０３ｘを省略している）、大まかにしか閲覧位置の分布が分からないことがあるが、拡大表示によりそれらが見易くなる。
【０１１５】
また、ログ情報表示領域３０１Ａに表示される、検索にヒットした文字列毎の検索結果表示字における閲覧実績（コンテンツ閲覧操作数）の項目については、図４２に示すように、検索された文字列（符号３０４ｋ）と、その文字列が表示されたページのうち閲覧された各ページのページ番号（符号３０４ａ）と、それらのページにおける閲覧回数（符号３０４ｂ）とを対応付けた表の形で視覚的に表示する。なお、本実施形態における閲覧されたページとは、予め決められたコンテンツ閲覧操作がなされたページのことであり、本実施形態においては特に、そのコンテンツ閲覧操作として拡大表示操作を定めているので、ここでいう検索後に閲覧されたページの閲覧回数とは、文字列検索の結果表示時（マーキング表示モード時）になされた拡大表示操作回数のことである。そして、本実施形態においては、上記の視覚効果表現として、検索された文字列（符号３０４ｋ）毎に、その文字列が表示されたページのうち閲覧された各ページのページ番号（符号３０４ａ）と、それらのページにおける閲覧回数（符号３０４ｂ）と、当該ページの表示内容（つまり当該ページの全体画像であって端末装置４において閲覧用に表示される画像の縮小画像）３０４Ｖとを対応付け、それらを一覧表示の形で表示する。さらに、当該画像３０４Ｖ上の拡大表示操作がなされた位置には、拡大位置指示画像３０４ｘが表示され、拡大表示された各位置、即ち検索後に閲覧された各位置を具体的に表示している。なお、この表示は、図２９に示すログ情報に基づいて生成・表示されるものである。
【０１１６】
そして、それら各全体画像３０４Ｖに対し上記のような位置選択操作がなされることにより、当該全体画像３０４Ｖは、図４３に示すように、ログ情報表示領域３０１Ａ内において拡大表示される（拡大画像３０４Ｖ’：符号３０４ａ’、３０４ｂ’は符号３０４ａ、３０４ｂが拡大されたもの）。つまり、一覧表示される各ページの全体画像３０４Ｖには、拡大表示用の操作画像としての機能が割り当てられている。一覧表示時における縮小画像は拡大位置指示画像３０４ｘが小さくて見辛い可能性があり（図４２では拡大位置指示画像３０４ｘを省略している）、大まかにしか閲覧位置の分布が分からないことがあるが、拡大表示によりそれらが見易くなる。
【０１１７】
また、ログ情報表示領域３０１Ａに表示されるページ毎の、付箋画像（付箋）／メモ帳画像（メモ）／任意画像（ペンツール）／等のユーザー描画実績（描画種別毎の描画数）の項目については、図４４に示すように、描画種別（符号３０５ｃ）と、対応する種別の描画がなされたページのページ番号（符号３０５ａ）と、それらのページにおける描画回数（符号３０５ｂ）とを対応付けた表の形で視覚的に表示する。そして、本実施形態においては、上記の視覚効果表現として、描画種別（符号３０５ｃ）毎に、対応する種別の描画がなされたページのページ番号（符号３０５ａ）と、それらのページにおける描画回数（符号３０５ｂ）と、当該ページの表示内容（つまり当該ページの全体画像であって端末装置４において閲覧用に表示される画像の縮小画像）３０５Ｖとを対応付け、それらを一覧表示の形で表示する。さらに、当該画像３０５Ｖ上の描画操作がなされた位置には、描画位置指示画像３０５ｙが表示され、描画された各位置、即ち検索後に閲覧された各位置を具体的に表示している。なお、この表示は、図３３に示すログ情報に基づいて生成・表示されるものである。
【０１１８】
そして、それら各全体画像３０５Ｖに対し上記のような位置選択操作がなされることにより、当該全体画像３０５Ｖは、図４５に示すように、ログ情報表示領域３０１Ａ内において拡大表示される（拡大画像３０５Ｖ’：符号３０５ａ’、３０５ｂ’は符号３０５ａ、３０５ｂが拡大されたもの）。つまり、一覧表示される各ページの全体画像３０５Ｖには、拡大表示用の操作画像としての機能が割り当てられている。一覧表示時における縮小画像は描画位置指示画像３０５ｙが小さくて見辛い可能性があり（図４４では拡大位置指示画像３０６ｙを省略している）、大まかにしか閲覧位置の分布が分からないことがあるが、拡大表示によりそれらが見易くなる。
【０１１９】
以上、本発明の一実施形態を説明したが、これらはあくまで例示にすぎず、本発明はこれらに限定されるものではなく、特許請求の範囲の趣旨を逸脱しない限りにおいて種々の変更が可能である。
【０１２０】
例えば、上記実施形態においては、コンテンツ閲覧操作の一つである拡大表示操作がなされた場合をユーザーによる閲覧があったと判断するようになっていたが、少なくともページ上に位置選択操作を行う形でなされるコンテンツ閲覧操作であれば、拡大表示操作以外の他の操作がなされた場合であっても、これをユーザーによる閲覧があったと判断するようにしてもよい。例えば、上記した任意画像表示操作、付箋画像表示操作、メモ画像表示操作のうち少なくとも１以上の操作を、ユーザーによる閲覧があったと判断するための操作とし、例えば図４６のように、それらの操作も検索された文字列の閲覧実績としてログ収集してもよい。
【０１２１】
このように、ユーザーによる閲覧があったと判断するためのコンテンツ閲覧操作が拡大表示操作の他にも定められた場合には、端末装置４においては、上記実施形態における拡大表示操作と同様、当該コンテンツ閲覧操作がなされたページをユーザーにより閲覧されたページとして特定し、そのページのページ情報（例えばページ番号）を操作ログ（第二ログ）としてサーバーに送信する。さらには、当該ページ上にて当該コンテンツ閲覧操作がなされた位置をユーザーにより閲覧された位置として特定し、その位置情報（例えば上記位置座標）をページ情報と合わせて操作ログ（第二ログ）としてサーバーに送信するようにする。
【０１２２】
また、上記実施形態においては、上記のようなユーザーによる閲覧判断に係るコンテンツ閲覧操作の送信するに際して、その操作ログは、検索実行時のものであるか否かを特定可能な形で送信するようになっているが、当該操作ログも、他のコンテンツ閲覧操作の操作ログと同様の形で操作がなされるに伴い順次サーバー２に送信され、時系列順に順次サーバー２がこれらを記録して、サーバー２においてログを集計する際に、記録された各種ログの中から、検索実行のログが記録されてから検索終了のログが記録されるまでの間になされた、ユーザーによる閲覧判断に係るコンテンツ閲覧操作の操作ログを抽出する形で、検索実行時の検索文字列の閲覧実績を取得するようにしてもよい。
【０１２３】
また、ログの送信に関し、各セッションにおいてサーバー２に送信するログは、セッション終了（ログアウト）時まで端末装置４の所定記憶部において記録しておき、セッション終了に伴いこれをサーバー２に送信するようにしてもよい（図４７参照）。これにより、閲覧時のログ送信に伴う処理負荷を軽減でき、閲覧をスムーズに実行できる。
【０１２４】
上記実施形態におけるログ出力は、サーバー２の表示部２にて画面表示されるものであったが、視覚的に閲覧可能な形であれば、プリンタ３０においてプリントアウトの形で出力されるものでもよい。
【０１２５】
また、上記実施形態において、コンテンツデータ２５ａ（４５ａ）は、図４８に示すように、各ページのページ表示用の画像ファイルの付随情報（付随データ）２５ａａとして、当該画像ファイルによってページ画像として描画される文字列に対応する文字データ（文字列検索用のテキストデータ）と共に、上記文字データが示す各文字列の、各ページ上での表示位置を特定可能な表示位置データを有したデータ構造を有している。本発明のコンテンツデータ４５ａは、こうしたデータ構造に限られず、例えば図４９に示すように、各ページのページ表示用の画像ファイルの付随情報２５ａａとして、対応するページの文字データ及び表示位置データをなすテキストファイル２５ａａ１を第一階層に有する一方で、第二階層には、当該テキストファイルのテキストデータが示す文字列に含まれる用語を解説するための解説用データ２５ａａ２を有したデータ構造とすることができる。なお、解説用データとしては、文字データ、静止画データ、動画データ、音声データのいずれであってもよい。この場合、マーキング画像が表示された検索文字列周辺領域２００ｓ内において表示された文字列のうち、所定操作部（例えばマウス等のポインティングデバイス）４８による位置指示操作により用語２００ｗが位置指示あるいは位置決定されたことが検知されると（ここではマウスオーバー操作）、解説用データに基づいて、当該用語２００ｗの解説表示領域２００ｕが表示され、当該領域２００ｕ内に解説内容が表示されるようにできる。解説内容は、図５０のように文字表示であってもよいし、図５１のように動画、静止画等でもよいし、音声であってもよい。ただし、検索文字列周辺領域２００ｓ内においてのみ解説表示が可能とされ、他の領域において位置指示あるいは位置決定されたことが検知されても、こうした用語解説は表示されない。
【図面の簡単な説明】
【０１２６】
【図１】本発明のデジタルコンテンツ閲覧管理システムの全体構造の一例を示すブロック図。
【図２】端末装置の構成例を示すブロック図。
【図３】サーバー（画像サーバー）の構成例を示すブロック図。
【図４】ブック型デジタルコンテンツの配信用Ｗｅｂページの一例。
【図５】ブック型デジタルコンテンツの画面表示例（トップページ）。
【図６】ブック型デジタルコンテンツの画面表示例（見開きページ）。
【図７】ブック型デジタルコンテンツの画面表示例（検索文字列入力）。
【図８】ブック型デジタルコンテンツの画面表示例（検索結果一覧表示）。
【図９】ブック型デジタルコンテンツの画面表示例（検索後のページ移動）。
【図１０】ブック型デジタルコンテンツの画面表示例（拡大表示操作）。
【図１１】ブック型デジタルコンテンツの画面表示例（拡大表示）。
【図１２】ブック型デジタルコンテンツの画面表示例（各種描画ツールの使用例１）。
【図１３】ブック型デジタルコンテンツの画面表示例（各種描画ツールの使用例２）。
【図１４】文字列検索処理の流れを示すフローチャート。
【図１５】検索結果としてマーキング画像を表示する処理の流れを示すフローチャート。
【図１６】ログ収集処理の流れを示すフローチャート。
【図１７】セッション単位で取得されるログ情報の一例。
【図１８】図１７から続く図。
【図１９】コンテンツ毎に集計されたログ情報（ログデータ）の一例。
【図２０】コンテンツ毎に集計されたログ情報（ログデータ）の一例。
【図２１】コンテンツ毎に集計されたログ情報（ログデータ）の一例。
【図２２】コンテンツ毎に集計されたログ情報（ログデータ）の一例。
【図２３】コンテンツ毎に集計されたログ情報（ログデータ）の一例。
【図２４】コンテンツ毎に集計されたログ情報（ログデータ）の一例。
【図２５】コンテンツ毎に集計されたログ情報（ログデータ）の一例。
【図２６】コンテンツ毎に集計されたログ情報（ログデータ）の一例。
【図２７】コンテンツ毎に集計されたログ情報（ログデータ）の一例。
【図２８】コンテンツ毎に集計されたログ情報（ログデータ）の一例。
【図２９】コンテンツ毎に集計されたログ情報（ログデータ）の一例。
【図３０】コンテンツ毎に集計されたログ情報（ログデータ）の一例。
【図３１】コンテンツ毎に集計されたログ情報（ログデータ）の一例。
【図３２】コンテンツ毎に集計されたログ情報（ログデータ）の一例。
【図３３】コンテンツ毎に集計されたログ情報（ログデータ）の一例。
【図３４】サーバーにおけるログ出力画面の一例（ログイン）。
【図３５】サーバーにおけるログ出力画面の一例（各種コンテンツ一覧）。
【図３６】サーバー２におけるログ出力画面の一例（特定コンテンツのログ情報出力例：閲覧回数表示）。
【図３７】サーバー２におけるログ出力画面のログ情報表示領域における表示例（円グラフ使用）。
【図３８】サーバー２におけるログ出力画面のログ情報表示領域における表示例（棒グラフ使用）。
【図３９】サーバー２におけるログ出力画面のログ情報表示領域における表示例（図３６の拡大表示）。
【図４０】サーバー２におけるログ出力画面のログ情報表示領域における表示例（拡大操作回数表示）。
【図４１】サーバー２におけるログ出力画面のログ情報表示領域における表示例（図４０の拡大表示）。
【図４２】サーバー２におけるログ出力画面のログ情報表示領域における表示例（検索文字列の閲覧実績）。
【図４３】サーバー２におけるログ出力画面のログ情報表示領域における表示例（図４２の拡大表示）。
【図４４】サーバー２におけるログ出力画面のログ情報表示領域における表示例（描画ツールの使用実績）。
【図４５】サーバー２におけるログ出力画面のログ情報表示領域における表示例（図４４の拡大表示）。
【図４６】コンテンツ毎に集計されたログ情報（ログデータ）の一例。
【図４７】図１６とは異なるログ収集処理の流れを示すフローチャート。
【図４８】コンテンツデータのデータ構造の一例。
【図４９】付随データの階層構造の一例。
【図５０】用語解説表示の第一例。
【図５１】用語解説表示の第二例。
【符号の説明】
【０１２７】
１  デジタルコンテンツ閲覧管理システム
２  サーバー（画像サーバー）
３  インターネット（通信ネットワーク）
４  端末装置（デジタルコンテンツ閲覧装置）
【図１】
2010072763.tif 000003
【図２】
2010072763.tif 000004
【図３】
2010072763.tif 000005
【図４】
2010072763.tif 000006
【図５】
2010072763.tif 000007
【図６】
2010072763.tif 000008
【図７】
2010072763.tif 000009
【図８】
2010072763.tif 000010
【図９】
2010072763.tif 000011
【図１０】
2010072763.tif 000012
【図１１】
2010072763.tif 000013
【図１２】
2010072763.tif 000014
【図１３】
2010072763.tif 000015
【図１４】
2010072763.tif 000016
【図１５】
2010072763.tif 000017
【図１６】
2010072763.tif 000018
【図１７】
2010072763.tif 000019
【図１８】
2010072763.tif 000020
【図１９】
2010072763.tif 000021
【図２０】
2010072763.tif 000022
【図２１】
2010072763.tif 000023
【図２２】
2010072763.tif 000024
【図２３】
2010072763.tif 000025
【図２４】
2010072763.tif 000026
【図２５】
2010072763.tif 000027
【図２６】
2010072763.tif 000028
【図２７】
2010072763.tif 000029
【図２８】
2010072763.tif 000030
【図２９】
2010072763.tif 000031
【図３０】
2010072763.tif 000032
【図３１】
2010072763.tif 000033
【図３２】
2010072763.tif 000034
【図３３】
2010072763.tif 000035
【図３４】
2010072763.tif 000036
【図３５】
2010072763.tif 000037
【図３６】
2010072763.tif 000038
【図３７】
2010072763.tif 000039
【図３８】
2010072763.tif 000040
【図３９】
2010072763.tif 000041
【図４０】
2010072763.tif 000042
【図４１】
2010072763.tif 000043
【図４２】
2010072763.tif 000044
【図４３】
2010072763.tif 000045
【図４４】
2010072763.tif 000046
【図４５】
2010072763.tif 000047
【図４６】
2010072763.tif 000048
【図４７】
2010072763.tif 000049
【図４８】
2010072763.tif 000050
【図４９】
2010072763.tif 000051
【図５０】
2010072763.tif 000052
【図５１】
2010072763.tif 000053